(57)【要約】  ウェブページとブックマークに登録されたウェブページの一覧を示すブックマーク一覧画面とを表示させる表示制御部（１０３）と、表示制御部（１０３）により表示されたウェブページの履歴情報及びブックマークに登録されたウェブページのブックマーク情報を記憶する記憶部（１０２）と、ウェブブラウザの起動時に、ブックマークに登録されたウェブページの一覧を示すブックマーク一覧画面を表示させるように表示制御部（１０３）に指示し、ウェブブラウザの終了時又はウェブブラウザの起動時に、ブックマークに登録されていないウェブページの履歴情報を記憶部（１０２）から削除するウェブブラウザ制御部（１０１）と、を備える。
2013099049.tif 000002
【特許請求の範囲】
【請求項１】
ウェブページとブックマークに登録されたウェブページの一覧を示すブックマーク一覧画面とを表示させる表示制御部と、
前記表示制御部により表示されたウェブページの履歴情報及びブックマークに登録されたウェブページのブックマーク情報を記憶する記憶部と、
ウェブブラウザの起動時に、前記記憶部に記憶されたブックマーク情報に基づいて前記ブックマーク一覧画面を表示させるように前記表示制御部に指示し、ウェブブラウザの終了時又はウェブブラウザの起動時に、ブックマークに登録されていないウェブページの履歴情報を前記記憶部から削除するウェブブラウザ制御部と、を備える
ウェブブラウザ制御装置。
【請求項２】
前記記憶部は、不揮発性記憶領域又は揮発性記憶領域で構成される記憶領域を有し、
前記記憶領域には、前記表示制御部により表示されたウェブページの履歴情報及びブックマークに登録されたウェブページのブックマーク情報が記憶され、
前記ウェブブラウザ制御部は、ウェブブラウザの終了時又はウェブブラウザの起動時に、前記記憶領域に記憶されたウェブページの履歴情報及びブックマーク情報に基づいて、前記記憶領域に記憶されたウェブページの履歴情報のうちブックマークに登録されていないウェブページの履歴情報を前記記憶領域から削除する
請求項１に記載のウェブブラウザ制御装置。
【請求項３】
前記記憶領域には、前記表示制御部により表示されたウェブページの履歴情報に関するドメインと、ブックマークに登録されたウェブページのＵＲＬのドメインとが記憶され、
前記ウェブブラウザ制御部は、
ウェブブラウザの終了時又はウェブブラウザの起動時に、前記記憶領域に記憶されたウェブページの履歴情報に関するドメインが、ブックマークに登録されたウェブページのＵＲＬのドメインを包含するか否かを判定するドメイン判定部と、
ウェブブラウザの終了時又はウェブブラウザの起動時に、前記ドメイン判定部により包含すると判定された場合には、ウェブページの履歴情報を前記記憶領域に保持し、前記ドメイン判定部により包含しないと判定された場合には、ウェブページの履歴情報を前記記憶領域から削除する処理部と、を有する
請求項２に記載のウェブブラウザ制御装置。
【請求項４】
前記記憶部は、第１の記憶領域及び第２の記憶領域を有し、
前記第１の記憶領域には、ブックマークに登録されたウェブページのブックマーク情報が記憶され、
前記ウェブブラウザ制御部は、
ウェブブラウザの起動時から終了時までの間に、前記第１の記憶領域に記憶されたブックマーク情報に基づいて、前記表示制御部により表示されたウェブページのうちブックマークに登録されたウェブページの履歴情報を前記第１の記憶領域に記憶させ、前記表示制御部により表示されたウェブページのうちブックマークに登録されていないウェブページの履歴情報を前記第２の記憶領域に記憶させ、
ウェブブラウザの終了時又はウェブブラウザの起動時に、ブックマークに登録されていないウェブページの履歴情報を前記第２の記憶領域から削除する
請求項１に記載のウェブブラウザ制御装置。
【請求項５】
前記第１の記憶領域には、ブックマークに登録されたウェブページのＵＲＬのドメインが記憶され、
前記ウェブブラウザ制御部は、
ウェブブラウザの起動時から終了時までの間に、前記表示制御部により表示されたウェブページの履歴情報に関するドメインが、ブックマークに登録されたウェブページのＵＲＬのドメインを包含するか否かを判定するドメイン判定部と、
前記ドメイン判定部により包含すると判定された場合には、ウェブページの履歴情報を前記第１の記憶領域に記憶させ、前記ドメイン判定部により包含しないと判定された場合には、ウェブページの履歴情報を前記第２の記憶領域に記憶させ、ウェブブラウザの終了時又はウェブブラウザの起動時に、前記第２の記憶領域に記憶されたウェブページの履歴情報を削除する処理部と、を有する
請求項４に記載のウェブブラウザ制御装置。
【請求項６】
前記第１の記憶領域は不揮発性記憶領域であり、前記第２の記憶領域は揮発性記憶領域である
請求項４又は５に記載のウェブブラウザ制御装置。
【請求項７】
前記記憶部は、第１の記憶領域及び第２の記憶領域を有し、
前記第１の記憶領域には、ブックマークに登録されたウェブページのブックマーク情報が記憶され、
前記ウェブブラウザ制御部は、
ウェブブラウザの起動時から終了時までの間に、前記表示制御部により表示されたウェブページの履歴情報を前記第１の記憶領域及び前記第２の記憶領域にそれぞれ記憶させ、使用すべきウェブページの履歴情報が前記第２の記憶領域に存在する場合には、前記第２の記憶領域に記憶されたウェブページの履歴情報を使用し、使用すべきウェブページの履歴情報が前記第２の記憶領域に存在しない場合には、前記第１の記憶領域に記憶されたブックマーク情報に基づいて、前記第１の記憶領域に記憶されたウェブページの履歴情報を使用するか否かを判定し、
ウェブブラウザの終了時又はウェブブラウザの起動時に、前記第２の記憶領域に記憶されたウェブページの履歴情報を削除する
請求項１に記載のウェブブラウザ制御装置。
【請求項８】
前記第１の記憶領域には、ブックマークに登録されたウェブページのＵＲＬのドメインが記憶され、
前記ウェブブラウザ制御部は、
ウェブブラウザの起動時から終了時までの間に、使用すべきウェブページの履歴情報が前記第２の記憶領域に存在しない場合において、使用すべきウェブページの履歴情報に関するドメインが、ブックマークに登録されたウェブページのＵＲＬのドメインを包含するか否かを判定するドメイン判定部と、
前記ドメイン判定部により包含すると判定された場合には、前記第１の記憶領域に記憶された履歴情報を使用し、前記ドメイン判定部により包含しないと判定された場合には、前記第１の記憶領域に記憶された履歴情報を使用せず、ウェブブラウザの終了時又はウェブブラウザの起動時に、前記第２の記憶領域に記憶されたウェブページの履歴情報を削除する処理部と、を有する
請求項７に記載のウェブブラウザ制御装置。
【請求項９】
前記第１の記憶領域は不揮発性記憶領域であり、前記第２の記憶領域は揮発性記憶領域である
請求項７又は８に記載のウェブブラウザ制御装置。
【請求項１０】
前記ウェブブラウザ制御部は、ウェブブラウザの終了時又はウェブブラウザの起動時に、ブックマークに登録されたウェブページのドメイン及びサブドメインの履歴情報以外の履歴情報を前記記憶部から削除する
請求項１に記載のウェブブラウザ制御装置。
【請求項１１】
前記ウェブブラウザ制御部は、ウェブブラウザの終了時又はウェブブラウザの起動時に、ブックマークに登録されたウェブページのドメイン及びサブディレクトリの履歴情報以外の履歴情報を前記記憶部から削除する
請求項１に記載のウェブブラウザ制御装置。
【請求項１２】
前記ウェブブラウザ制御部は、特定のウェブページのブックマーク情報が前記記憶部から削除された際に、前記特定のウェブページの履歴情報を前記記憶部から削除する
請求項１に記載のウェブブラウザ制御装置。
【請求項１３】
前記記憶部に記憶されるウェブページの履歴情報は、Ｃｏｏｋｉｅ、キャッシュデータ、入力履歴データ、ページ閲覧履歴データ及びページ関連情報データのうち少なくとも１つを含む
請求項１に記載のウェブブラウザ制御装置。
【請求項１４】
前記ページ関連情報データは、画面イメージ又はｒｅｆｅｒｅｒである
請求項１３に記載のウェブブラウザ制御装置。
【請求項１５】
前記ページ関連情報データは、当該ページ関連情報データが取得されたウェブページのドメインとともに前記記憶部に記憶される
請求項１４に記載のウェブブラウザ制御装置。
【請求項１６】
前記入力履歴データは、入力が行われたウェブページのドメインとともに前記記憶部に記憶される
請求項１３に記載のウェブブラウザ制御装置。
【請求項１７】
前記表示制御部は、ブックマークに登録された複数のウェブページに対応する複数のブックマーク表示を前記ブックマーク一覧画面に表示させ、前記複数のブックマーク表示の各々を１つずつフォーカス表示させることが可能であり、前記複数のブックマーク表示のうち特定のブックマーク表示がフォーカス表示されている際に、前記特定のブックマーク表示に対応するウェブページの履歴情報を前記記憶部から削除するための削除メニューを前記ブックマーク一覧画面に表示させる
請求項１に記載のウェブブラウザ制御装置。
【請求項１８】
前記表示制御部は、ブックマークに登録された複数のウェブページに対応する複数のブックマーク表示を前記ブックマーク一覧画面に表示させ、前記複数のブックマーク表示の各々を１つずつフォーカス表示させることが可能であり、前記複数のブックマーク表示のうち特定のブックマーク表示がフォーカス表示されている際に、前記特定のブックマーク表示に対応するウェブページの履歴情報を前記記憶部に記憶させるか否かを設定するための設定メニューを前記ブックマーク一覧画面に表示させる
請求項１に記載のウェブブラウザ制御装置。
【請求項１９】
前記設定メニューにより、前記特定のブックマーク表示に対応するウェブページの履歴情報を前記記憶部に記憶させるように設定されたときには、前記表示制御部は、ウェブページの履歴情報を前記記憶部に記憶させる設定であることを示す表示を前記ブックマーク一覧画面に表示させる
請求項１８に記載のウェブブラウザ制御装置。
【請求項２０】
前記設定メニューにより、前記特定のブックマーク表示に対応するウェブページの履歴情報を前記記憶部に記憶させないように設定されたときには、前記表示制御部は、ウェブページの履歴情報を前記記憶部に記憶させない設定であることを示す表示を前記ブックマーク一覧画面に表示させる
請求項１８又は１９に記載のウェブブラウザ制御装置。
【請求項２１】
前記表示制御部は、前記ブックマーク一覧画面において、前記複数のブックマーク表示を仮想的に略円筒状に並べて配置させ、且つ、前記複数のブックマーク表示を仮想的に所定方向に回転させる
請求項１７又は１８に記載のウェブブラウザ制御装置。
【請求項２２】
前記ブックマーク表示は、ブックマークに登録されたウェブページの画面をキャプチャした画像で構成される
請求項１７又は１８に記載のウェブブラウザ制御装置。
【請求項２３】
ウェブブラウザの起動時に、ブックマークに登録されたウェブページの一覧を示すブックマーク一覧画面を表示部に表示させるステップと、
ウェブブラウザの起動時から終了時までの間に、前記表示部に表示されたウェブページの履歴情報を記憶部に記憶させるステップと、
ウェブブラウザの終了時又はウェブブラウザの起動時に、ブックマークに登録されていないウェブページの履歴情報を前記記憶部から削除するステップと、を含む
ウェブブラウザ制御方法。
【請求項２４】
表示部と、
ウェブページとブックマークに登録されたウェブページの一覧を示すブックマーク一覧画面とを前記表示部に表示させる表示制御部と、
前記表示制御部により表示されたウェブページの履歴情報及びブックマークに登録されたウェブページのブックマーク情報を記憶する記憶部と、
ウェブブラウザの起動時に、前記記憶部に記憶されたブックマーク情報に基づいて前記ブックマーク一覧画面を表示させるように前記表示制御部に指示し、ウェブブラウザの終了時又はウェブブラウザの起動時に、ブックマークに登録されていないウェブページの履歴情報を前記記憶部から削除するウェブブラウザ制御部と、を備える
テレビジョン受像機。
【発明の詳細な説明】
【技術分野】
【０００１】
本発明は、ウェブブラウザを搭載したウェブブラウザ制御装置及びウェブブラウザ制御方法に関する。また、本発明は、ウェブブラウザを搭載したインターネット対応のテレビジョン受像機に関する。
【背景技術】
【０００２】
近年、ウェブページを閲覧（ブラウジング）するためのウェブブラウザを搭載したインターネット対応の情報機器が開発され、普及し始めている。従来のウェブブラウザには、通常のブラウジングモードでウェブページを閲覧するタイプ（例えば、特許文献１参照）と、プライベートブラウジングモードでウェブページを閲覧するタイプ（例えば、特許文献２参照）とが存在する。【０００３】
通常のブラウジングモードでは、ウェブブラウザを起動してから終了するまでの間、ウェブページの履歴情報が記憶領域に記憶される。記憶領域に記憶されたウェブページの履歴情報は、ウェブブラウザの終了後も記憶領域に保持される。【０００４】
プライベートブラウジングモードでは、ウェブブラウザを起動してから終了するまでの間、ウェブページの履歴情報が記憶領域に記憶される。ウェブブラウザの終了時には、記憶領域に記憶されたウェブページの履歴情報は全て削除される。【０００５】
なお、ウェブページの履歴情報は、例えばＣｏｏｋｉｅ、キャッシュデータ及び入力履歴データ等である。Ｃｏｏｋｉｅは、ウェブサーバとウェブブラウザとの間でやり取りされる識別情報データであり、例えばユーザの識別、認証、セッション管理及びウェブページのカスタマイズ情報の保持等に利用される。キャッシュデータは、記憶装置に一時的に保存されるウェブページのデータである。使用頻度の高いウェブページのデータを記憶装置に一時的に保存しておくことにより、ネットワークを通してウェブサーバからからウェブページのデータを読み出す時間的ロスを省いて、処理の高速化を図ることができる。入力履歴データは、ユーザがウェブページ内の入力エリアに入力した文字列のデータであり、ウェブブラウザに搭載されたオートコンプリート機能に利用される。オートコンプリート機能とは、ユーザの入力に対して入力履歴データを参照して次の入力内容を予想し、ユーザに対して予想した入力内容を候補として提示する機能である。
【先行技術文献】
【特許文献】
【０００６】
【特許文献１】特開２０１１−９６０２８号公報
【特許文献２】特許第４５７４３２７号公報
【発明の概要】
【発明が解決しようとする課題】
【０００７】
しかしながら、上述した従来のインターネット対応の情報機器では、プライバシーを十分に保護することができず、さらには、ウェブページを閲覧する際の利便性が低いという課題がある。【０００８】
本発明は上記従来の課題を解決するものであり、その目的は、ウェブページを閲覧する際の利便性を高めながら、プライバシーの保護を図ることができるウェブブラウザ制御装置、ウェブブラウザ制御方法及びテレビジョン受像機を提供することである。
【課題を解決するための手段】
【０００９】
上記目的を達成するために、本発明の一態様に係るウェブブラウザ制御装置は、ウェブページとブックマークに登録されたウェブページの一覧を示すブックマーク一覧画面とを表示させる表示制御部と、前記表示制御部により表示されたウェブページの履歴情報及びブックマークに登録されたウェブページのブックマーク情報を記憶する記憶部と、ウェブブラウザの起動時に、前記記憶部に記憶されたブックマーク情報に基づいて前記ブックマーク一覧画面を表示させるように前記表示制御部に指示し、ウェブブラウザの終了時又はウェブブラウザの起動時に、ブックマークに登録されていないウェブページの履歴情報を前記記憶部から削除するウェブブラウザ制御部と、を備える。【００１０】
なお、これらの全般的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１１】
本発明のウェブブラウザ制御装置、ウェブブラウザ制御方法及びテレビジョン受像機では、ウェブページを閲覧する際の利便性を高めながら、プライバシーの保護を図ることができる。
【図面の簡単な説明】
【００１２】
【図１】図１は、本発明の実施の形態１に係るウェブブラウザ制御装置の構成を示すブロック図である。
【図２】図２は、図１のウェブブラウザ制御部の構成を示すブロック図である。
【図３】図３は、ドメイン判定部によるドメイン及びパスの判定方法を説明するための図である。
【図４】図４は、ブックマーク一覧画面を示す図である。
【図５】図５は、ブックマーク一覧画面の一部を拡大して示す図である。
【図６】図６は、実施の形態１のウェブブラウザ制御装置によるウェブブラウザ制御方法の流れを示すフローチャートである。
【図７】図７は、図６における履歴情報の削除処理の流れを具体的に示すフローチャートである。
【図８】図８は、本発明の実施の形態２に係るウェブブラウザ制御装置のウェブブラウザ制御部の構成を示すブロック図である。
【図９】図９は、実施の形態２のウェブブラウザ制御装置によるウェブブラウザ制御方法の流れを説明するためのフローチャートである。
【図１０】図１０は、図９におけるＣｏｏｋｉｅの保存処理の流れを具体的に示すフローチャートである。
【図１１】図１１は、本発明の実施の形態３に係るウェブブラウザ制御装置のウェブブラウザ制御部の構成を示すブロック図である。
【図１２】図１２は、実施の形態３のウェブブラウザ制御装置によるウェブブラウザ制御方法の流れを説明するためのフローチャートである。
【図１３】図１３は、図１２におけるＣｏｏｋｉｅの送信処理の流れを具体的に示すフローチャートである。
【図１４】図１４は、本発明の実施の形態４に係るテレビジョン受像機の外観を示す斜視図である。
【図１５】図１５は、図１４のテレビジョン受像機の機能的構成を示すブロック図である。
【発明を実施するための形態】
【００１３】
（本発明の基礎となった知見）
本発明者は、「背景技術」の欄において記載したインターネット対応の情報機器に関し、以下の問題が生じることを見出した。例えばインターネット対応のテレビジョン受像機は、一般に、家族及び親戚等の複数のユーザによって使用されることが多い。複数のユーザによって使用される場合、通常のブラウジングモードでウェブページを閲覧するタイプでは、ウェブページの履歴情報が複数のユーザによって共有される。例えばＣｏｏｋｉｅが複数のユーザによって共有されることによって、あるユーザがインターネット通販のウェブサイトで商品を購入した際の購入履歴等が、後でその情報機器を使用した家族及び親戚等の他のユーザに見られるおそれがある。このように、通常のブラウジングモードでは、プライバシーを十分に保護することができないという問題がある。
【００１４】
また、プライベートブラウジングモードでウェブページを閲覧するタイプでは、複数のユーザによって共有することができるウェブページの履歴情報、例えばウェブページのカスタマイズ情報等もウェブブラウザの終了時に削除されてしまう。そのため、例えばウェブブラウザを起動する度に、ユーザはウェブページのカスタマイズを設定し直す必要がある。従って、プライベートブラウジングモードでは、ウェブページを閲覧する際の利便性が著しく低下するという問題がある。
【００１５】
なお、仮に、ユーザによって通常のブラウジングモードとプライベートブラウジングモードとが切り替えられるように構成した場合には、ユーザは、プライベートブラウジングモードの意味を理解し、ブラウジングモードの切り替え方法を習得した上で、ウェブページを閲覧する前に、通常のブラウジングモード又はプライベートブラウジングモードに切り替える設定を意識して行う必要がある。従って、この場合にも、ウェブページを閲覧する際の利便性が低下するという問題が生じる。
【００１６】
このような問題を解決するために、本発明の一態様に係るウェブブラウザ制御装置は、ウェブページとブックマークに登録されたウェブページの一覧を示すブックマーク一覧画面とを表示させる表示制御部と、前記表示制御部により表示されたウェブページの履歴情報及びブックマークに登録されたウェブページのブックマーク情報を記憶する記憶部と、ウェブブラウザの起動時に、前記記憶部に記憶されたブックマーク情報に基づいて前記ブックマーク一覧画面を表示させるように前記表示制御部に指示し、ウェブブラウザの終了時又はウェブブラウザの起動時に、ブックマークに登録されていないウェブページの履歴情報を前記記憶部から削除するウェブブラウザ制御部と、を備える。
【００１７】
本態様によれば、ブックマーク（お気に入り）に登録されたウェブページの一覧がウェブブラウザの起動時に表示されるため、ユーザは、その情報機器を共用する他のユーザも前記ウェブページの一覧を見るであろうことを容易に認識することができる。ユーザは、一般に、他のユーザに閲覧していることが知られたくないウェブページ、換言すると、ウェブページの履歴情報を他のユーザと共有したくないウェブページを、ウェブブラウザの起動時に毎回表示されるブックマークに登録しない傾向にある。従って、ウェブブラウザの終了時又はウェブブラウザの起動時に、本態様のようにブックマークに登録されていないウェブページの履歴情報が記憶部から削除されることにより、ユーザがブラウジングモードを手動で切り替えなくても、プライバシーを保護することができる。一方、ブックマークに登録されたウェブページの履歴情報は記憶部に保持されるので、ユーザが切り替わった場合であっても、例えばウェブページのカスタマイズ情報等を引き継ぐことができ、ウェブブラウザを閲覧する際の利便性を高めることができる。さらに、ユーザは、自分が頻繁に閲覧するウェブページをブックマークに登録する傾向にある。そのため、ウェブブラウザの起動時にブックマーク一覧画面が表示制御部により表示されることにより、ユーザは、頻繁に閲覧するウェブページに、より簡単にアクセスすることができる。
【００１８】
例えば、本発明の一態様に係るウェブブラウザ制御装置において、前記記憶部は、不揮発性記憶領域又は揮発性記憶領域で構成される記憶領域を有し、前記記憶領域には、前記表示制御部により表示されたウェブページの履歴情報及びブックマークに登録されたウェブページのブックマーク情報が記憶され、前記ウェブブラウザ制御部は、ウェブブラウザの終了時又はウェブブラウザの起動時に、前記記憶領域に記憶されたウェブページの履歴情報及びブックマーク情報に基づいて、前記記憶領域に記憶されたウェブページの履歴情報のうちブックマークに登録されていないウェブページの履歴情報を前記記憶領域から削除するように構成してもよい。
【００１９】
本態様によれば、ウェブブラウザの終了時又はウェブブラウザの起動時に、ブックマークに登録されていないウェブページの履歴情報が記憶領域から削除されることにより、プライバシーを十分に保護することができる。
【００２０】
例えば、本発明の一態様に係るウェブブラウザ制御装置において、前記記憶領域には、前記表示制御部により表示されたウェブページの履歴情報に関するドメインと、ブックマークに登録されたウェブページのＵＲＬのドメインとが記憶され、前記ウェブブラウザ制御部は、ウェブブラウザの終了時又はウェブブラウザの起動時に、前記記憶領域に記憶されたウェブページの履歴情報に関するドメインが、ブックマークに登録されたウェブページのＵＲＬのドメインを包含するか否かを判定するドメイン判定部と、ウェブブラウザの終了時又はウェブブラウザの起動時に、前記ドメイン判定部により包含すると判定された場合には、ウェブページの履歴情報を前記記憶領域に保持し、前記ドメイン判定部により包含しないと判定された場合には、ウェブページの履歴情報を前記記憶領域から削除する処理部と、を有するように構成してもよい。
【００２１】
本態様によれば、ウェブブラウザの終了時又はウェブブラウザの起動時に、ブックマークに登録されていないウェブページの履歴情報を記憶領域から削除する処理を確実に行うことができる。
【００２２】
例えば、本発明の一態様に係るウェブブラウザ制御装置において、前記記憶部は、第１の記憶領域及び第２の記憶領域を有し、前記第１の記憶領域には、ブックマークに登録されたウェブページのブックマーク情報が記憶され、前記ウェブブラウザ制御部は、ウェブブラウザの起動時から終了時までの間に、前記第１の記憶領域に記憶されたブックマーク情報に基づいて、前記表示制御部により表示されたウェブページのうちブックマークに登録されたウェブページの履歴情報を前記第１の記憶領域に記憶させ、前記表示制御部により表示されたウェブページのうちブックマークに登録されていないウェブページの履歴情報を前記第２の記憶領域に記憶させ、ウェブブラウザの終了時又はウェブブラウザの起動時に、ブックマークに登録されていないウェブページの履歴情報を前記第２の記憶領域から削除するように構成してもよい。
【００２３】
本態様によれば、ウェブブラウザの終了時又はウェブブラウザの起動時に、ブックマークに登録されていないウェブページの履歴情報が第２の記憶領域から削除されることにより、プライバシーを十分に保護することができる。また、ブックマークに登録されたウェブページの履歴情報は第１の記憶領域に保持されるので、ウェブブラウザを閲覧する際の利便性を高めることができる。
【００２４】
例えば、本発明の一態様に係るウェブブラウザ制御装置において、前記第１の記憶領域には、ブックマークに登録されたウェブページのＵＲＬのドメインが記憶され、前記ウェブブラウザ制御部は、ウェブブラウザの起動時から終了時までの間に、前記表示制御部により表示されたウェブページの履歴情報に関するドメインが、ブックマークに登録されたウェブページのＵＲＬのドメインを包含するか否かを判定するドメイン判定部と、前記ドメイン判定部により包含すると判定された場合には、ウェブページの履歴情報を前記第１の記憶領域に記憶させ、前記ドメイン判定部により包含しないと判定された場合には、ウェブページの履歴情報を前記第２の記憶領域に記憶させ、ウェブブラウザの終了時又はウェブブラウザの起動時に、前記第２の記憶領域に記憶されたウェブページの履歴情報を削除する処理部と、を有するように構成してもよい。
【００２５】
本態様によれば、ウェブブラウザの起動時から終了時までの間に、ブックマークに登録されたウェブページの履歴情報を第１の記憶領域に記憶させる処理及びブックマークに登録されていないウェブページの履歴情報を第２の記憶領域から削除する処理を確実に行うことができる。
【００２６】
例えば、本発明の一態様に係るウェブブラウザ制御装置において、前記第１の記憶領域は不揮発性記憶領域であり、前記第２の記憶領域は揮発性記憶領域であるように構成してもよい。
【００２７】
本態様によれば、第１の記憶領域を不揮発性記憶領域とすることにより、ウェブブラウザ制御装置の通電が遮断された際に、ブックマークに登録されたウェブページの履歴情報を第１の記憶領域に保持させることができる。また、第２の記憶領域を揮発性記憶領域とすることにより、ウェブブラウザ制御装置の通電が遮断された際に、ブックマークに登録されていないウェブページの履歴情報が第２の記憶領域から消去される。
【００２８】
例えば、本発明の一態様に係るウェブブラウザ制御装置において、前記記憶部は、第１の記憶領域及び第２の記憶領域を有し、前記第１の記憶領域には、ブックマークに登録されたウェブページのブックマーク情報が記憶され、前記ウェブブラウザ制御部は、ウェブブラウザの起動時から終了時までの間に、前記表示制御部により表示されたウェブページの履歴情報を前記第１の記憶領域及び前記第２の記憶領域にそれぞれ記憶させ、使用すべきウェブページの履歴情報が前記第２の記憶領域に存在する場合には、前記第２の記憶領域に記憶されたウェブページの履歴情報を使用し、使用すべきウェブページの履歴情報が前記第２の記憶領域に存在しない場合には、前記第１の記憶領域に記憶されたブックマーク情報に基づいて、前記第１の記憶領域に記憶されたウェブページの履歴情報を使用するか否かを判定し、ウェブブラウザの終了時又はウェブブラウザの起動時に、前記第２の記憶領域に記憶されたウェブページの履歴情報を削除するように構成してもよい。
【００２９】
本態様によれば、ウェブブラウザの終了時又はウェブブラウザの起動時に、ブックマークに登録されていないウェブページの履歴情報が第２の記憶領域から削除されることにより、プライバシーを十分に保護することができる。
【００３０】
例えば、本発明の一態様に係るウェブブラウザ制御装置において、前記第１の記憶領域には、ブックマークに登録されたウェブページのＵＲＬのドメインが記憶され、前記ウェブブラウザ制御部は、ウェブブラウザの起動時から終了時までの間に、使用すべきウェブページの履歴情報が前記第２の記憶領域に存在しない場合において、使用すべきウェブページの履歴情報に関するドメインが、ブックマークに登録されたウェブページのＵＲＬのドメインを包含するか否かを判定するドメイン判定部と、前記ドメイン判定部により包含すると判定された場合には、前記第１の記憶領域に記憶された履歴情報を使用し、前記ドメイン判定部により包含しないと判定された場合には、前記第１の記憶領域に記憶された履歴情報を使用せず、ウェブブラウザの終了時又はウェブブラウザの起動時に、前記第２の記憶領域に記憶されたウェブページの履歴情報を削除する処理部と、を有するように構成してもよい。
【００３１】
本態様によれば、ウェブブラウザの起動時から終了時までの間において、第１の記憶領域に記憶されたウェブページの履歴情報のうちブックマークに登録されたウェブページの履歴情報を使用する処理及びブックマークに登録されていないウェブページの履歴情報を使用しない処理を確実に行うことができる。
【００３２】
例えば、本発明の一態様に係るウェブブラウザ制御装置において、前記第１の記憶領域は不揮発性記憶領域であり、前記第２の記憶領域は揮発性記憶領域であるように構成してもよい。
【００３３】
本態様によれば、第１の記憶領域を不揮発性記憶領域とすることにより、ウェブブラウザ制御装置の通電が遮断された際に、ブックマークに登録されたウェブページの履歴情報を第１の記憶領域に保持させることができる。また、第２の記憶領域を揮発性記憶領域とすることにより、ウェブブラウザ制御装置の通電が遮断された際に、ブックマークに登録されていないウェブページの履歴情報が第２の記憶領域から消去される。
【００３４】
例えば、本発明の一態様に係るウェブブラウザ制御装置において、前記ウェブブラウザ制御部は、ウェブブラウザの終了時又はウェブブラウザの起動時に、ブックマークに登録されたウェブページのドメイン及びサブドメインの履歴情報以外の履歴情報を前記記憶部から削除するように構成してもよい。
【００３５】
本態様によれば、ブックマークに登録されたウェブページを閲覧する際の利便性を高めることができる。
【００３６】
例えば、本発明の一態様に係るウェブブラウザ制御装置において、前記ウェブブラウザ制御部は、ウェブブラウザの終了時又はウェブブラウザの起動時に、ブックマークに登録されたウェブページのドメイン及びサブディレクトリの履歴情報以外の履歴情報を前記記憶部から削除するように構成してもよい。
【００３７】
本態様によれば、ブックマークに登録されたウェブページを閲覧する際の利便性を高めることができる。
【００３８】
例えば、本発明の一態様に係るウェブブラウザ制御装置において、前記ウェブブラウザ制御部は、特定のウェブページのブックマーク情報が前記記憶部から削除された際に、前記特定のウェブページの履歴情報を前記記憶部から削除するように構成してもよい。
【００３９】
本態様によれば、特定のウェブページのブックマーク情報が記憶部から削除された際に、特定のウェブページの履歴情報が記憶部に保持されたままになることがなく、プライバシーをより確実に保護することができる。
【００４０】
例えば、本発明の一態様に係るウェブブラウザ制御装置において、前記記憶部に記憶されるウェブページの履歴情報は、Ｃｏｏｋｉｅ、キャッシュデータ、入力履歴データ、ページ閲覧履歴データ及びページ関連情報データのうち少なくとも１つを含むように構成してもよい。
【００４１】
本態様によれば、記憶部に記憶されるウェブページの履歴情報を、Ｃｏｏｋｉｅ、キャッシュデータ、入力履歴データ、ページ閲覧履歴データ及びページ関連情報データのうち少なくとも１つで構成することができる。
【００４２】
例えば、本発明の一態様に係るウェブブラウザ制御装置において、前記ページ関連情報データは、画面イメージ又はｒｅｆｅｒｅｒであるように構成してもよい。
【００４３】
本態様によれば、ページ関連情報データを画面イメージ又はｒｅｆｅｒｅｒで構成することができる。
【００４４】
例えば、本発明の一態様に係るウェブブラウザ制御装置において、前記ページ関連情報データは、当該ページ関連情報データが取得されたウェブページのドメインとともに前記記憶部に記憶されるように構成してもよい。
【００４５】
本態様によれば、ページ関連情報データが取得されたウェブページのドメインに基づいて、ページ関連情報データの処理（例えば、削除処理、保存処理又は使用処理）を行うことができる。
【００４６】
例えば、本発明の一態様に係るウェブブラウザ制御装置において、前記入力履歴データは、入力が行われたウェブページのドメインとともに前記記憶部に記憶されるように構成してもよい。
【００４７】
本態様によれば、入力が行われたウェブページのドメインに基づいて、入力履歴データの処理（例えば、削除処理、保存処理又は使用処理）を行うことができる。
【００４８】
例えば、本発明の一態様に係るウェブブラウザ制御装置において、前記表示制御部は、ブックマークに登録された複数のウェブページに対応する複数のブックマーク表示を前記ブックマーク一覧画面に表示させ、前記複数のブックマーク表示の各々を１つずつフォーカス表示させることが可能であり、前記複数のブックマーク表示のうち特定のブックマーク表示がフォーカス表示されている際に、前記特定のブックマーク表示に対応するウェブページの履歴情報を前記記憶部から削除するための削除メニューを前記ブックマーク一覧画面に表示させるように構成してもよい。
【００４９】
本態様によれば、ブックマーク一覧画面に表示された削除メニューを用いて、フォーカス表示された特定のブックマーク表示に対応するウェブページの履歴情報を削除することができる。
【００５０】
例えば、本発明の一態様に係るウェブブラウザ制御装置において、前記表示制御部は、ブックマークに登録された複数のウェブページに対応する複数のブックマーク表示を前記ブックマーク一覧画面に表示させ、前記複数のブックマーク表示の各々を１つずつフォーカス表示させることが可能であり、前記複数のブックマーク表示のうち特定のブックマーク表示がフォーカス表示されている際に、前記特定のブックマーク表示に対応するウェブページの履歴情報を前記記憶部に記憶させるか否かを設定するための設定メニューを前記ブックマーク一覧画面に表示させるように構成してもよい。
【００５１】
本態様によれば、ブックマーク一覧画面に表示された設定メニューを用いて、フォーカス表示された特定のブックマーク表示に対応するウェブページの履歴情報を記憶部に記憶させるように又は記憶させないように設定することができる。
【００５２】
例えば、本発明の一態様に係るウェブブラウザ制御装置において、前記設定メニューにより、前記特定のブックマーク表示に対応するウェブページの履歴情報を前記記憶部に記憶させるように設定されたときには、前記表示制御部は、ウェブページの履歴情報を前記記憶部に記憶させる設定であることを示す表示を前記ブックマーク一覧画面に表示させるように構成してもよい。
【００５３】
本態様によれば、ユーザは、ブックマーク一覧画面の表示を見ることにより、ウェブページの履歴情報を記憶部に記憶させる設定であることを容易に認識することができる。
【００５４】
例えば、本発明の一態様に係るウェブブラウザ制御装置において、前記設定メニューにより、前記特定のブックマーク表示に対応するウェブページの履歴情報を前記記憶部に記憶させないように設定されたときには、前記表示制御部は、ウェブページの履歴情報を前記記憶部に記憶させない設定であることを示す表示を前記ブックマーク一覧画面に表示させるように構成してもよい。
【００５５】
本態様によれば、ユーザは、ブックマーク一覧画面の表示を見ることにより、ウェブページの履歴情報を記憶部に記憶させない設定であることを容易に認識することができる。
【００５６】
例えば、本発明の一態様に係るウェブブラウザ制御装置において、前記表示制御部は、前記ブックマーク一覧画面において、前記複数のブックマーク表示を仮想的に略円筒状に並べて配置させ、且つ、前記複数のブックマーク表示を仮想的に所定方向に回転させるように構成してもよい。
【００５７】
本態様によれば、ブックマーク一覧の表示が一画面に収まらない場合においても、表示サイズを落とすことなく、全てのブックマーク表示を表示させることができる。従って、ユーザは、視認性を落とすことなく、ブラウジング開始前により多くのブックマーク表示を見ることができる。これにより、本発明において、より多くのブックマーク表示を扱うことができる。
【００５８】
例えば、本発明の一態様に係るウェブブラウザ制御装置において、前記ブックマーク表示は、ブックマークに登録されたウェブページの画面をキャプチャした画像で構成されるように構成してもよい。
【００５９】
本態様によれば、ユーザは、ブックマーク表示を見ることによって、ブックマークに登録されたウェブページの内容を視覚的に容易に認識することができる。
【００６０】
また、本発明の一態様に係るウェブブラウザ制御方法は、ウェブブラウザの起動時に、ブックマークに登録されたウェブページの一覧を示すブックマーク一覧画面を表示部に表示させるステップと、ウェブブラウザの起動時から終了時までの間に、前記表示部に表示されたウェブページの履歴情報を記憶部に記憶させるステップと、ウェブブラウザの終了時又はウェブブラウザの起動時に、ブックマークに登録されていないウェブページの履歴情報を前記記憶部から削除するステップと、を含む。
【００６１】
本態様によれば、ブックマーク（お気に入り）に登録されたウェブページの一覧がウェブブラウザの起動時に表示されるため、ユーザは、その情報機器を共用する他のユーザも前記ウェブページの一覧を見るであろうことを容易に認識することができる。ユーザは、一般に、他のユーザに閲覧していることが知られたくないウェブページ、換言すると、ウェブページの履歴情報を他のユーザと共有したくないウェブページを、ウェブブラウザの起動時に毎回表示されるブックマークに登録しない傾向にある。従って、ウェブブラウザの終了時又はウェブブラウザの起動時に、本態様のようにブックマークに登録されていないウェブページの履歴情報が記憶部から削除されることにより、ユーザがブラウジングモードを手動で切り替えなくても、プライバシーを保護することができる。一方、ブックマークに登録されたウェブページの履歴情報は記憶部に保持されるので、ユーザが切り替わった場合であっても、例えばウェブページのカスタマイズ情報等を引き継ぐことができ、ウェブブラウザを閲覧する際の利便性を高めることができる。さらに、ユーザは、自分が頻繁に閲覧するウェブページをブックマークに登録する傾向にある。そのため、ウェブブラウザの起動時にブックマーク一覧画面が表示部に表示されることにより、ユーザは、頻繁に閲覧するウェブページに、より簡単にアクセスすることができる。
【００６２】
また、本発明の一態様に係るテレビジョン受像機は、表示部と、ウェブページとブックマークに登録されたウェブページの一覧を示すブックマーク一覧画面とを前記表示部に表示させる表示制御部と、前記表示制御部により表示されたウェブページの履歴情報及びブックマークに登録されたウェブページのブックマーク情報を記憶する記憶部と、ウェブブラウザの起動時に、前記記憶部に記憶されたブックマーク情報に基づいて前記ブックマーク一覧画面を表示させるように前記表示制御部に指示し、ウェブブラウザの終了時又はウェブブラウザの起動時に、ブックマークに登録されていないウェブページの履歴情報を前記記憶部から削除するウェブブラウザ制御部と、を備える。
【００６３】
本態様によれば、ブックマーク（お気に入り）に登録されたウェブページの一覧がウェブブラウザの起動時に表示されるため、ユーザは、その情報機器を共用する他のユーザも前記ウェブページの一覧を見るであろうことを容易に認識することができる。ユーザは、一般に、他のユーザに閲覧していることが知られたくないウェブページ、換言すると、ウェブページの履歴情報を他のユーザと共有したくないウェブページを、ウェブブラウザの起動時に毎回表示されるブックマークに登録しない傾向にある。従って、ウェブブラウザの終了時又はウェブブラウザの起動時に、本態様のようにブックマークに登録されていないウェブページの履歴情報が記憶部から削除されることにより、ユーザがブラウジングモードを手動で切り替えなくても、プライバシーを保護することができる。一方、ブックマークに登録されたウェブページの履歴情報は記憶部に保持されるので、ユーザが切り替わった場合であっても、例えばウェブページのカスタマイズ情報等を引き継ぐことができ、ウェブブラウザを閲覧する際の利便性を高めることができる。さらに、ユーザは、自分が頻繁に閲覧するウェブページをブックマークに登録する傾向にある。そのため、ウェブブラウザの起動時にブックマーク一覧画面が表示部に表示されることにより、ユーザは、頻繁に閲覧するウェブページに、より簡単にアクセスすることができる。
【００６４】
なお、これらの全般的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム又は記録媒体の任意な組み合わせで実現されてもよい。
【００６５】
（実施の形態）
以下、本発明に係るウェブブラウザ制御装置、ウェブブラウザ制御方法及びテレビジョン受像機の各種実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００６６】
（実施の形態１）
図１は、本発明の実施の形態１に係るウェブブラウザ制御装置の構成を示すブロック図である。ウェブブラウザ制御装置１０は、例えばテレビジョン受像機１１に接続されている。
【００６７】
テレビジョン受像機１１は、放送信号を受信することにより映像信号を取得するチューナ部（図示せず）と、取得した映像信号等を表示する表示部１１１と、表示部１１１に表示された表示画面等を操作する入力部１１２と、を備えている。表示部１１１は、例えば液晶ディスプレイで構成されている。入力部１１２は、例えばリモートコントローラで構成されている。ユーザは、この入力部１１２を操作することによって、例えば表示部１１１に表示されたブックマーク一覧画面（後述する）を操作する、或いは、表示部１１１に表示されたウェブページ内の入力エリアに文字列を入力することができる。
【００６８】
なお、本実施の形態では、ウェブブラウザ制御装置１０とテレビジョン受像機１１とを別体に構成したが、両者を一体に構成してもよい。
【００６９】
図１に示すように、ウェブブラウザ制御装置１０は、ウェブブラウザ制御部１０１、記憶部１０２、表示制御部１０３及びネットワーク接続部１０４を備えている。
【００７０】
ウェブブラウザ制御部１０１は、ウェブサーバ１２からネットワーク接続部１０４を介してＨＴＭＬファイル及び画像ファイル等をダウンロードし、レイアウトを解析することにより、表示制御部１０３に対してウェブページを表示するように指示する。ウェブブラウザ制御部１０１の構成については後述する。なお、ウェブブラウザは、ブラウジング機能を有するアプリケーションの一部に実装されていてもよい。
【００７１】
記憶部１０２は、例えば不揮発性メモリ等で構成される不揮発性記憶領域１０２ａ（図２参照）を有している。この不揮発性記憶領域１０２ａには、表示制御部１０３により表示された（即ち、ユーザにより閲覧された）ウェブページに関する情報である履歴情報及びブックマークに登録されたウェブページを示すブックマーク情報等が記憶されている。
【００７２】
本実施の形態では、ウェブページの履歴情報は、Ｃｏｏｋｉｅ、キャッシュデータ及び入力履歴データで構成されている。Ｃｏｏｋｉｅは、ウェブサーバ１２とウェブブラウザとの間でやり取りされる識別情報データである。キャッシュデータは、高速の記憶装置に一時的に保存されるウェブページのデータである。入力履歴データは、ユーザがウェブページ内の入力エリアに入力した文字列のデータであり、ウェブブラウザに搭載されたオートコンプリート機能に利用される。なお、入力履歴データは、ユーザが入力を行ったウェブページのＵＲＬ（Ｕｎｉｆｏｒｍ  Ｒｅｓｏｕｒｃｅ  Ｌｏｃａｔｏｒ）とともに記憶されている。
【００７３】
また、ブックマーク情報は、ブックマーク（お気に入り）に登録されたウェブページのＵＲＬ、ウェブページのサムネイル画像データ及びブックマークに登録された年月日を含むデータである。
【００７４】
表示制御部１０３は、ウェブブラウザ制御部１０１からの指示によって、ウェブページ及びブックマーク一覧画面（後述する）等を表示部１１１に表示させる。
【００７５】
ネットワーク接続部１０４は、インターネットを介してウェブブラウザ制御部１０１とウェブサーバ１２とを相互に接続するためのものである。
【００７６】
ウェブサーバ１２には、ＨＴＭＬファイル及び画像ファイル等が蓄積されている。ウェブサーバ１２は、ウェブブラウザ制御部１０１からの要求に応じて、ネットワーク接続部１０４を介してＨＴＭＬファイル及び画像ファイル等をウェブブラウザ制御部１０１に提供する。
【００７７】
次に、ウェブブラウザ制御部１０１の構成について説明する。図２は、図１のウェブブラウザ制御部の構成を示すブロック図である。図２に示すように、ウェブブラウザ制御部１０１は、ブラウザコア部１０６、処理部１０７及びドメイン判定部１０８を有している。
【００７８】
ブラウザコア部１０６は、ウェブブラウザの起動時に、処理部１０７に対して、ブックマークに登録されていないウェブページの履歴情報を削除するように指示する。また、ブラウザコア部１０６は、ウェブブラウザの起動時に、表示制御部１０３に対してブックマーク一覧画面を表示するように指示する。表示制御部１０３は、ブラウザコア部１０６からの指示に基づいて、ウェブページのブックマーク情報を不揮発性記憶領域１０２ａから取得することにより、表示部１１１にブックマーク一覧画面を表示させる。
【００７９】
処理部１０７は、ブラウザコア部１０６からの指示に基づいて、ブックマークに登録されたウェブページのドメイン及びパス並びにウェブページの履歴情報に関するドメイン及びパスを不揮発性記憶領域１０２ａから取得することにより、ドメイン判定部１０８に対してドメイン及びパスの判定を指示する。また、処理部１０７は、ドメイン判定部１０８からの判定結果に基づいて、不揮発性記憶領域１０２ａに記憶されているウェブページの履歴情報のうち、ブックマークに登録されていないウェブページの履歴情報を削除する。
【００８０】
ドメイン判定部１０８は、処理部１０７からの指示に基づいて、ウェブページの履歴情報に関するドメイン及びパスが、ブックマークに登録されたウェブページのＵＲＬのドメイン及びパスを包含するか否かを判定する。ドメイン判定部１０８により包含すると判定された場合には、処理部１０７は、ウェブページの履歴情報を不揮発性記憶領域１０２ａに保持させる。ドメイン判定部１０８により包含しないと判定された場合には、処理部１０７は、ウェブページの履歴情報を不揮発性記憶領域１０２ａから削除する。
【００８１】
ドメイン判定部１０８によるドメイン及びパスの判定は、次のようにして行われる。図３は、ドメイン判定部１０８によるドメイン及びパスの判定方法を説明するための図である。図３に示すように、ブックマークに登録されたウェブページのＵＲＬのドメイン及びパスが「ｗｗｗ．ａａａ．ｃｏｍ／ｄｉｒ１／ｄｉｒ２」であり、履歴情報がＣｏｏｋｉｅである場合について説明する。ドメイン判定部１０８は、Ｃｏｏｋｉｅのドメインがブックマークに登録されたウェブページのドメインを包含するか否かについて、文字列の後方一致検索により判定する。また、ドメイン判定部１０８は、Ｃｏｏｋｉｅのパスがブックマークに登録されたウェブページのパスを包含するか否かについて、文字列の前方一致検索により判定する。
【００８２】
Ｃｏｏｋｉｅのドメイン及びパスが「ｗｗｗ．ａａａ．ｃｏｍ／ｄｉｒ１／ｄｉｒ２」である場合には、ドメイン判定部１０８は、Ｃｏｏｋｉｅのドメイン及びパスがブックマークに登録されたウェブページのドメイン及びパスを包含すると判定する。また、Ｃｏｏｋｉｅのドメイン及びパスが「ｌｏｇｉｎ．ｗｗｗ．ａａａ．ｃｏｍ／ｄｉｒ１／ｄｉｒ２／ｄｉｒ３」である場合には、ドメイン判定部１０８は、Ｃｏｏｋｉｅのドメイン及びパスがブックマークに登録されたウェブページのドメイン及びパスを包含すると判定する。
【００８３】
Ｃｏｏｋｉｅのドメイン及びパスが「ａａａ．ｃｏｍ／ｄｉｒ１／ｄｉｒ２」である場合には、ドメイン判定部１０８は、Ｃｏｏｋｉｅのドメイン及びパスがブックマークに登録されたウェブページのドメイン及びパスを包含しないと判定する。また、Ｃｏｏｋｉｅのドメイン及びパスが「ｗｗｗ．ａａａ．ｃｏｍ／ｄｉｒ１／ｂｂｂ」である場合には、ドメイン判定部１０８は、Ｃｏｏｋｉｅのドメイン及びパスがブックマークに登録されたウェブページのドメイン及びパスを包含しないと判定する。
【００８４】
なお、キャッシュデータ及び入力履歴データについても、上述したＣｏｏｋｉｅと同様に判定することができる。キャッシュデータについては、キャッシュされたウェブページのＵＲＬのファイル名を除いた部分に対して、ドメイン及びパスの判定が行われる。入力履歴データについては、ユーザが入力を行ったウェブページのＵＲＬのドメイン及びパスに対して、ドメイン及びパスの判定が行われる。
【００８５】
上述したように、表示制御部１０３は、ブックマーク一覧画面の表示を制御する。ここで、このブックマーク一覧画面について説明する。図４は、ブックマーク一覧画面を示す図である。図４に示すように、ブックマーク一覧画面は、表示エリア１２１と、表示エリア１２１の上側に配置された表示バー１２２とで構成される。表示バー１２２には、ロケーションバー１２３及び検索バー１２４が表示されている。ロケーションバー１２３には、ユーザが入力部１１２を操作することによって、閲覧したいウェブページのＵＲＬが入力される。検索バー１２４には、ユーザが入力部１１２を操作することによって、所定の検索エンジンで検索したいワードが入力される。
【００８６】
表示エリア１２１には、ブックマークに登録された複数のウェブページに対応する複数のブックマーク表示１２５が表示される。ブックマーク表示１２５は、例えばウェブページの画面をキャプチャすることにより作成されたサムネイル画像である。このサムネイル画像は、ユーザがウェブページをブックマークに登録する操作を行った際に、そのウェブページの画面をキャプチャすることにより作成される。複数のブックマーク表示１２５は、仮想的に略円筒状に並べて配置され、且つ、仮想的に所定方向（図４中に矢印で示す方向）に自動的に回転される。複数のブックマーク表示１２５の回転が一周することにより、全てのブックマーク表示１２５が複数個ずつ順に表示エリア１２１に表示される。なお、ユーザが入力部１１２を操作することによって、複数のブックマーク表示１２５の回転を停止させることも可能である。
【００８７】
また、ユーザが入力部１１２を操作することによって、表示エリア１２１に表示された複数のブックマーク表示１２５の各々を１つずつ順にフォーカス表示させることができる。このフォーカス表示は、例えばブックマーク表示１２５の外周部を囲む矩形状の太枠で構成される。
【００８８】
図５は、ブックマーク一覧画面の一部を拡大して示す図である。図５に示すように、特定のブックマーク表示１２５がフォーカス表示されている際に、ユーザが入力部１１２を操作することにより、フォーカス表示されたブックマーク表示１２５に対する削除メニュー１２６及び設定メニュー１２７がそれぞれ表示エリア１２１に表示される。
【００８９】
削除メニュー１２６は、「ブックマークを削除」、「Ｃｏｏｋｉｅを削除」、「キャッシュを削除」及び「入力履歴を削除」と表示された４つのメニューで構成される。「ブックマークを削除」と表示されたメニューを選択して実行すると、フォーカス表示されたブックマーク表示１２５に対応するウェブページのブックマーク情報が不揮発性記憶領域１０２ａから削除される。このとき、ウェブブラウザ制御部１０１は、ウェブページのブックマーク情報を削除する際に、そのウェブページの履歴情報（Ｃｏｏｋｉｅ、キャッシュデータ及び入力履歴データ）については不揮発性記憶領域１０２ａから削除せず、ウェブブラウザの終了時又は次回のウェブブラウザの起動時に削除するように構成することもできる。「Ｃｏｏｋｉｅを削除」と表示されたメニューを選択して実行すると、フォーカス表示されたブックマーク表示１２５に対応するウェブページのＣｏｏｋｉｅが不揮発性記憶領域１０２ａから削除される。「キャッシュを削除」と表示されたメニューを選択して実行すると、フォーカス表示されたブックマーク表示１２５に対応するウェブページのキャッシュデータが不揮発性記憶領域１０２ａから削除される。「入力履歴を削除」と表示されたメニューを選択して実行すると、フォーカス表示されたブックマーク表示１２５に対応するウェブページの入力履歴データが不揮発性記憶領域１０２ａから削除される。このように、削除メニュー１２６を用いることによって、ブックマークに登録されたウェブページの履歴情報をユーザが個別に削除することができる。なお、図５では、削除メニュー１２６のうち、「ブックマークを削除」と表示されたメニューが選択された状態を図示している。
【００９０】
設定メニュー１２７は、「Ｃｏｏｋｉｅを保存しない」、「キャッシュを保存しない」及び「入力履歴を保存しない」と表示された３つのメニューで構成される。「Ｃｏｏｋｉｅを保存しない」と表示されたメニューを選択して実行すると、それ以降、フォーカス表示されたブックマーク表示１２５に対応するウェブページのＣｏｏｋｉｅは、ウェブブラウザの起動時に不揮発性記憶領域１０２ａから削除される。「キャッシュを保存しない」と表示されたメニューを選択して実行すると、それ以降、フォーカス表示されたブックマーク表示１２５に対応するウェブページのキャッシュデータは、ウェブブラウザの起動時に不揮発性記憶領域１０２ａから削除される。「入力履歴を保存しない」と表示されたメニューを選択して実行すると、それ以降、フォーカス表示されたブックマーク表示１２５に対応するウェブページの入力履歴データは、ウェブブラウザの起動時に不揮発性記憶領域１０２ａから削除される。
【００９１】
なお、「Ｃｏｏｋｉｅを保存しない」と表示されたメニューを選択して実行した際には、このメニューは「Ｃｏｏｋｉｅを保存する」と表示されたメニューに変化する。この「Ｃｏｏｋｉｅを保存する」と表示されたメニューを選択して実行すると、それ以降、フォーカス表示されたブックマーク表示１２５に対応するウェブページのＣｏｏｋｉｅは、ウェブブラウザの起動時に不揮発性記憶領域１０２ａから削除されない。このことは、「キャッシュを保存しない」及び「入力履歴を保存しない」と表示されたメニューについても同様である。
【００９２】
設定メニュー１２７により、Ｃｏｏｋｉｅが不揮発性記憶領域１０２ａに記憶されないように設定されているときには、Ｃｏｏｋｉｅが不揮発性記憶領域１０２ａに記憶されない設定であることを示す表示であるマーク１２８がブックマーク表示１２５の左上部に表示される。このマーク１２８は、例えば、お菓子のクッキーの画像に×印が付されたマークで構成される。また、設定メニュー１２７により、Ｃｏｏｋｉｅが不揮発性記憶領域１０２ａに記憶されるように設定されているときには、Ｃｏｏｋｉｅが不揮発性記憶領域１０２ａに記憶される設定であることを示す表示であるマーク１２９がブックマーク表示１２５の左上部に表示される。このマーク１２９は、例えば、お菓子のクッキーの画像が表示されたマークで構成される。キャッシュデータ及び入力履歴データについても、上述したＣｏｏｋｉｅと同様にマークを表示させることができる。
【００９３】
次に、本実施の形態のウェブブラウザ制御装置１０によるウェブブラウザ制御方法について説明する。図６は、実施の形態１のウェブブラウザ制御装置によるウェブブラウザ制御方法の流れを示すフローチャートである。
【００９４】
まず、ユーザが入力部１１２を操作することによって、ウェブブラウザ制御部１０１は、ウェブブラウザを起動させる（Ｓ１０１）。ウェブブラウザの起動時に、ウェブブラウザ制御部１０１は、ブックマークに登録されていないウェブページの履歴情報（Ｃｏｏｋｉｅ、キャッシュデータ及び入力履歴データ）を不揮発性記憶領域１０２ａから削除する処理を行う（Ｓ１０２）。
【００９５】
図７は、図６における履歴情報の削除処理の流れを具体的に示すフローチャートである。図７に示すように、ブラウザコア部１０６は、ウェブブラウザの起動時に、処理部１０７に対して、ブックマークに登録されていないウェブページの履歴情報を削除するように指示する（Ｓ２０１）。処理部１０７は、ブラウザコア部１０６からの指示に基づいて、ブックマークに登録された全てのウェブページのドメイン及びパス並びに全てのウェブページの履歴情報のドメイン及びパスを不揮発性記憶領域１０２ａから取得する（Ｓ２０２）。その後、処理部１０７は、ドメイン判定部１０８に対してドメイン及びパスの判定を指示する（Ｓ２０３）。
【００９６】
ドメイン判定部１０８は、処理部１０７からの指示に基づいて、Ｃｏｏｋｉｅ、キャッシュデータ及び入力履歴データの各々について、ドメイン及びパスの判定を行う。まず、ドメイン判定部１０８は、ウェブページのＣｏｏｋｉｅのドメイン及びパスが、ブックマークに登録されたウェブページのドメイン及びパスを包含するか否かを判定する。このドメイン判定部１０８による判定は、上述したようにして行われる。ドメイン判定部１０８により包含すると判定された場合には（Ｓ２０４でＹＥＳ）、処理部１０７は、Ｃｏｏｋｉｅを不揮発性記憶領域１０２ａに保持させる（Ｓ２０５）。ドメイン判定部１０８により包含しないと判定された場合には（Ｓ２０４でＮＯ）、処理部１０７は、Ｃｏｏｋｉｅを不揮発性記憶領域１０２ａから削除する（Ｓ２０６）。このようにして、不揮発性記憶領域１０２ａに記憶されている全てのＣｏｏｋｉｅに対して、上述したのと同様の処理が行われる。
【００９７】
なお、不揮発性記憶領域１０２ａに記憶されている全てのキャッシュデータ及び入力履歴データについても、上述したＳ２０４〜Ｓ２０６と同様の処理が行われる。
【００９８】
処理部１０７により取得された全ての履歴情報についてドメイン及びパスの判定が行われることによって、ブックマークに登録されていないウェブページの履歴情報が不揮発性記憶領域１０２ａから削除される。これにより、不揮発性記憶領域１０２ａには、ブックマークに登録されたウェブページの履歴情報のみが保持される。
【００９９】
処理部１０７により取得された全ての履歴情報についてドメイン及びパスの判定が行われた後に（Ｓ２０７でＹＥＳ）、ブラウザコア部１０６は、表示制御部１０３に対して、ブックマーク一覧画面を表示するように指示する。表示制御部１０３は、ブラウザコア部１０６からの指示に基づいて、ウェブページのブックマーク情報を不揮発性記憶領域１０２ａから取得する。そして、表示制御部１０３は、取得したウェブページのブックマーク情報に基づいて、表示部１１１にブックマーク一覧画面を表示させる（Ｓ１０３）。
【０１００】
ユーザが入力部１１２を操作することにより、ブックマーク一覧画面で閲覧したいウェブページのブックマーク表示１２５をフォーカス表示させる。この状態で、ユーザがさらに入力部１１２を操作することにより、フォーカス表示されたブックマーク表示１２５に対応するウェブページが表示部１１１に表示され、ブラウジングが開始される（Ｓ１０４）。
【０１０１】
ブラウジング中に、ウェブサーバ１２からウェブブラウザ制御部１０１にＣｏｏｋｉｅが送信された場合には（Ｓ１０５でＹＥＳ）、処理部１０７は、Ｃｏｏｋｉｅを不揮発性記憶領域１０２ａに記憶させる（Ｓ１０６）。
【０１０２】
また、ブラウジング中に、ユーザが入力部１１２を操作してウェブページ内の入力エリアに文字列を入力した場合には（Ｓ１０７でＹＥＳ）、処理部１０７は、入力履歴データを不揮発性記憶領域１０２ａに記憶させる（Ｓ１０８）。このとき、入力履歴データは、ユーザが入力を行ったウェブページのＵＲＬとともに記憶される。
【０１０３】
さらに、ブラウジング中に、ユーザが入力部１１２を操作してウェブページを遷移させた場合には（Ｓ１０９でＹＥＳ）、新たなウェブページのキャッシュデータが不揮発性記憶領域１０２ａに記憶される（Ｓ１１０）。
【０１０４】
このように、ブラウジング中にＣｏｏｋｉｅ等が不揮発性記憶領域１０２ａに記憶されるので、セッション管理にＣｏｏｋｉｅを使用するウェブページを閲覧する場合であっても、Ｃｏｏｋｉｅを利用したブラウジングを行うことができる。
【０１０５】
なお、ブックマークに登録されていないウェブページを閲覧したいときには、ロケーションバー１２３に閲覧したいウェブページのＵＲＬを入力すればよい。この場合にも、上述したＳ１０５〜Ｓ１１０と同様の処理が行われる。
【０１０６】
ユーザがブラウジングを終了するときには（Ｓ１１１でＹＥＳ）、ユーザが入力部１１２を操作することにより、ウェブブラウザ制御部１０１はウェブブラウザを終了する（Ｓ１１２）。なお、ウェブブラウザの終了後に、ウェブブラウザを再度起動させた場合には、上述と同様にして、履歴情報の削除処理が行われる。
【０１０７】
本実施の形態のウェブブラウザ制御装置１０では、次のような効果を得ることができる。ブックマークに登録されたウェブページは、テレビジョン受像機１１を使用する複数のユーザによって見られる可能性がある。そのため、ユーザは、一般に、他のユーザに閲覧していることが知られたくないウェブページをブックマークに登録しない傾向にある。従って、ウェブブラウザの起動時に、ブックマークに登録されていないウェブページの履歴情報が不揮発性記憶領域１０２ａから削除されることにより、プライバシーを十分に保護することができる。ブックマークに登録されたウェブページの履歴情報は不揮発性記憶領域１０２ａに保持されるので、ユーザが切り替わった場合であっても、例えばウェブページのカスタマイズ情報等を引き継ぐことができ、ウェブブラウザを閲覧する際の利便性を高めることができる。
【０１０８】
また、ウェブブラウザの起動時にブックマーク一覧画面が表示部１１１に表示されるので、ユーザは、テレビジョン受像機１１を利用する他のユーザにもブックマーク一覧画面が表示されることを容易に認識することができる。さらに、ユーザは、自分が頻繁に閲覧するウェブページをブックマークに登録する傾向にある。そのため、ウェブブラウザの起動時にブックマーク一覧画面を表示部１１１に表示させることにより、ユーザは、ブックマークに登録されたウェブページを容易に閲覧することができる。
【０１０９】
なお、本実施の形態では、ウェブブラウザの起動時に、ブックマークに登録されていないウェブページの履歴情報が不揮発性記憶領域１０２ａから削除されるように構成したが、このような構成に代えて、ウェブブラウザの終了時に、ブックマークに登録されていないウェブページの履歴情報が不揮発性記憶領域１０２ａから削除されるように構成することもできる。このように構成した場合であっても、上述と同様の効果を得ることができる。
【０１１０】
また、本実施の形態では、ウェブページの履歴情報は、Ｃｏｏｋｉｅ、キャッシュデータ及び入力履歴データで構成したが、これらに加えて、ウェブページ閲覧履歴データ及びウェブページ関連情報データを含むように構成することもできる。ウェブページ閲覧履歴データは、閲覧されたウェブページのＵＲＬ及び閲覧年月日に関するデータである。ウェブページ関連情報データは、閲覧されたウェブページの画面イメージ又はｒｅｆｅｒｅｒに関するデータである。ウェブページ関連情報データは、そのウェブページ関連情報データが取得されたときのウェブページのＵＲＬとともに、不揮発性記憶領域１０２ａに記憶される。なお、ウェブページの履歴情報は、Ｃｏｏｋｉｅ、キャッシュデータ、入力履歴データ、ページ閲覧履歴データ及びページ関連情報データのうち少なくとも１つを含むように構成することができる。
【０１１１】
また、本実施の形態では、記憶部１０２は不揮発性記憶領域１０２ａを有するように構成したが、ウェブブラウザ制御装置１０が連続的に通電される機器である場合には、記憶部１０２は不揮発性記憶領域１０２ａに代えて揮発性記憶領域を有するように構成することもできる。
【０１１２】
（実施の形態２）
図８は、本発明の実施の形態２に係るウェブブラウザ制御装置のウェブブラウザ制御部の構成を示すブロック図である。図８に示すように、ウェブブラウザ制御装置２０の記憶部２０２は、第１の記憶領域としての不揮発性記憶領域２０２ａと、第２の記憶領域としての揮発性記憶領域２０２ｂと、を有している。不揮発性記憶領域２０２ａは、例えば不揮発性メモリ等で構成されている。揮発性記憶領域２０２ｂは、例えば揮発性メモリ等で構成されている。
【０１１３】
ウェブブラウザ制御部２０１の処理部２０７は、ブラウザコア部２０６からの指示に基づいて、ブックマークに登録されたウェブページのドメイン及びパス並びにウェブページの履歴情報のドメイン及びパスを不揮発性記憶領域２０２ａから取得することにより、ドメイン判定部２０８に対してドメイン及びパスの判定を指示する。また、処理部２０７は、ドメイン判定部２０８からの判定結果に基づいて、ブックマークに登録されたウェブページの履歴情報を不揮発性記憶領域２０２ａに記憶させ、ブックマークに登録されていないウェブページの履歴情報を揮発性記憶領域２０２ｂに記憶させる。
【０１１４】
次に、本実施の形態のウェブブラウザ制御装置２０によるウェブブラウザ制御方法の流れを説明する。図９は、実施の形態２のウェブブラウザ制御装置によるウェブブラウザ制御方法の流れを説明するためのフローチャートである。
【０１１５】
まず、ユーザが入力部（図示せず）を操作することによって、ウェブブラウザ制御部２０１は、ウェブブラウザを起動させる（Ｓ３０１）。ウェブブラウザの起動時に、ブラウザコア部２０６は、表示制御部２０３に対して、ブックマーク一覧画面を表示するように指示する。表示制御部２０３は、ブラウザコア部２０６からの指示に基づいて、ウェブページのブックマーク情報を不揮発性記憶領域２０２ａから取得し、表示部（図示せず）にブックマーク一覧画面を表示させる（Ｓ３０２）。ユーザがブックマーク一覧画面を操作することにより、ウェブページが表示部に表示され、ブラウジングが開始される（Ｓ３０３）。
【０１１６】
ブラウジング中に、ウェブサーバ（図示せず）からウェブブラウザ制御部２０１にＣｏｏｋｉｅが送信された場合には（Ｓ３０４でＹＥＳ）、処理部２０７は、ブックマークに登録されたウェブページの履歴情報を不揮発性記憶領域２０２ａに記憶させ、ブックマークに登録されていないウェブページの履歴情報を揮発性記憶領域２０２ｂに記憶させる処理を行う（Ｓ３０５）。
【０１１７】
図１０は、図９における履歴情報の保存処理の流れを具体的に示すフローチャートである。図１０に示すように、ブラウザコア部２０６は、処理部２０７に対して、ウェブサーバから送信されたＣｏｏｋｉｅを保存するように指示する（Ｓ４０１）。処理部２０７は、ブラウザコア部２０６からの指示に基づいて、ブックマークに登録された全てのウェブページのドメイン及びパスを不揮発性記憶領域２０２ａから取得する（Ｓ４０２）。その後、処理部２０７は、ドメイン判定部２０８に対してドメイン及びパスの判定を指示する（Ｓ４０３）。
【０１１８】
ドメイン判定部２０８は、処理部２０７からの指示に基づいて、ウェブサーバから送信されたＣｏｏｋｉｅのドメイン及びパスが、ブックマークに登録されたウェブページのドメイン及びパスを包含するか否かを判定する。このドメイン判定部２０８による判定は、実施の形態１で説明したようにして行われる。ドメイン判定部２０８により包含すると判定された場合には（Ｓ４０４でＹＥＳ）、処理部２０７は、Ｃｏｏｋｉｅを不揮発性記憶領域２０２ａに記憶させる（Ｓ４０５）。ドメイン判定部２０８により包含しないと判定された場合には（Ｓ４０４でＮＯ）、処理部２０７は、Ｃｏｏｋｉｅを揮発性記憶領域２０２ｂに記憶させる（Ｓ４０６）。このようにして、Ｃｏｏｋｉｅの保存処理が終了する。
【０１１９】
その後、ブラウジング中に、ユーザが入力部を操作してウェブページ内の入力エリアに文字列を入力した場合には（Ｓ３０６でＹＥＳ）、処理部２０７は、ブックマークに登録されたウェブページで入力された入力履歴データを不揮発性記憶領域２０２ａに記憶させ、ブックマークに登録されていないウェブページで入力された入力履歴データを揮発性記憶領域２０２ｂに記憶させる処理を行う（Ｓ３０７）。この入力履歴データの保存処理は、上述したＣｏｏｋｉｅの保存処理と同様にして行われるので、その説明を省略する。
【０１２０】
その後、ブラウジング中に、ユーザが入力部を操作してウェブページを遷移させた場合には（Ｓ３０８でＹＥＳ）、処理部２０７は、ブックマークに登録されたウェブページのキャッシュデータを不揮発性記憶領域２０２ａに記憶させ、ブックマークに登録されていないウェブページのキャッシュデータを揮発性記憶領域２０２ｂに記憶させる処理を行う（Ｓ３０９）。このキャッシュデータの保存処理は、上述したＣｏｏｋｉｅの保存処理と同様にして行われるので、その説明を省略する。
【０１２１】
このようにして、ブックマークに登録されたウェブページの履歴情報は不揮発性記憶領域２０２ａに記憶され、ブックマークに登録されていないウェブページの履歴情報は揮発性記憶領域２０２ｂに記憶される。
【０１２２】
ユーザがブラウジングを終了するときには（Ｓ３１０でＹＥＳ）、ユーザが入力部を操作することにより、ウェブブラウザ制御部２０１はウェブブラウザを終了する（Ｓ３１１）。ウェブブラウザの終了時に、処理部２０７は、揮発性記憶領域２０２ｂに記憶されているウェブページの履歴情報を全て削除する（Ｓ３１２）。
【０１２３】
なお、本実施の形態では、ウェブブラウザの終了時に、ブックマークに登録されていないウェブページの履歴情報が揮発性記憶領域２０２ｂから削除されるように構成したが、このような構成に代えて、ウェブブラウザの起動時に、ブックマークに登録されていないウェブページの履歴情報が揮発性記憶領域２０２ｂから削除されるように構成することもできる。この場合において、ウェブブラウザの終了後に、ウェブブラウザ制御装置２０の通電が遮断された際には、揮発性記憶領域２０２ｂに記憶されたウェブページの履歴情報は消去される。
【０１２４】
また、本実施の形態では、ブックマークに登録されたウェブページの履歴情報を不揮発性記憶領域２０２ａに記憶するように構成したが、不揮発性記憶領域２０２ａ及び揮発性記憶領域２０２ｂの双方に記憶するように構成することもできる。これにより、ブックマークに登録されたウェブページの表示速度を高めることができる。
【０１２５】
また、本実施の形態では、記憶部２０２は不揮発性記憶領域２０２ａを有するように構成したが、ウェブブラウザ制御装置２０が連続的に通電される機器である場合には、記憶部２０２は不揮発性記憶領域２０２ａに代えて揮発性記憶領域を有するように構成することもできる。
【０１２６】
（実施の形態３）
図１１は、本発明の実施の形態３に係るウェブブラウザ制御装置のウェブブラウザ制御部の構成を示すブロック図である。図１１に示すように、ウェブブラウザ制御装置３０の記憶部３０２は、第１の記憶領域としての不揮発性記憶領域３０２ａと、第２の記憶領域としての揮発性記憶領域３０２ｂと、を有している。
【０１２７】
ウェブブラウザ制御部３０１の処理部３０７は、ブラウザコア部３０６からの指示に基づいて、ブックマークに登録されたウェブページのドメイン及びパスを不揮発性記憶領域２０２ａから取得することにより、ドメイン判定部３０８に対してドメイン及びパスの判定を指示する。また、処理部３０７は、ドメイン判定部３０８からの判定結果に基づいて、不揮発性記憶領域２０２ａに記憶されたウェブページの履歴情報のうち、ブックマークに登録されたウェブページの履歴情報を使用（送信を含む）させ、ブックマークに登録されていないウェブページの履歴情報を使用（送信を含む）させない。
【０１２８】
次に、本実施の形態のウェブブラウザ制御装置３０によるウェブブラウザ制御方法の流れを説明する。図１２は、実施の形態３のウェブブラウザ制御装置によるウェブブラウザ制御方法の流れを説明するためのフローチャートである。
【０１２９】
まず、ユーザが入力部（図示せず）を操作することによって、ウェブブラウザ制御部３０１は、ウェブブラウザを起動させる（Ｓ５０１）。ウェブブラウザの起動時に、ブラウザコア部３０６は、表示制御部３０３に対して、ブックマーク一覧画面を表示するように指示する。表示制御部３０３は、ブラウザコア部３０６からの指示に基づいて、ウェブページのブックマーク情報を不揮発性記憶領域３０２ａから取得し、表示部（図示せず）にブックマーク一覧画面を表示させる（Ｓ５０２）。ユーザがブックマーク一覧画面を操作することにより、ウェブページが表示部に表示され、ブラウジングが開始される（Ｓ５０３）。
【０１３０】
ブラウジング中において、処理部３０７は、Ｃｏｏｋｉｅ、キャッシュデータ及び入力履歴データを不揮発性記憶領域３０２ａ及び揮発性記憶領域３０２ｂの双方に記憶させる（Ｓ５０４）。
【０１３１】
ウェブブラウザ制御部３０１からウェブサーバ（図示せず）にＣｏｏｋｉｅを送信する場合には（Ｓ５０５でＹＥＳ）、処理部３０７は、不揮発性記憶領域２０２ａに記憶されたウェブページの履歴情報のうち、ブックマークに登録されたウェブページのＣｏｏｋｉｅを送信させ、ブックマークに登録されていないウェブページのＣｏｏｋｉｅを送信させない処理を行う（Ｓ５０６）。
【０１３２】
図１３は、図１２におけるＣｏｏｋｉｅの送信処理の流れを具体的に示すフローチャートである。図１３に示すように、ブラウザコア部３０６は、処理部３０７に対して、ウェブサーバにＣｏｏｋｉｅを送信するように指示する（Ｓ６０１）。処理部３０７は、ブラウザコア部３０６からの指示に基づいて、該当するドメイン及びパスを有するＣｏｏｋｉｅが揮発性記憶領域３０２ｂに存在するかを検索する。該当するドメイン及びパスを有するＣｏｏｋｉｅが揮発性記憶領域３０２ｂに存在する場合には（Ｓ６０２でＹＥＳ）、処理部３０７は、揮発性記憶領域３０２ｂからＣｏｏｋｉｅを取得してウェブサーバに送信する（Ｓ６０３）。
【０１３３】
該当するドメイン及びパスを有するＣｏｏｋｉｅが揮発性記憶領域３０２ｂに存在しない場合には（Ｓ６０２でＮＯ）、処理部３０７は、ブックマークに登録された全てのウェブページのドメイン及びパスを不揮発性記憶領域３０２ａから取得する（Ｓ６０４）。その後、処理部３０７は、ドメイン判定部３０８に対してドメイン及びパスの判定を指示する（Ｓ６０５）。
【０１３４】
ドメイン判定部３０８は、処理部３０７からの指示に基づいて、送信指示されたＣｏｏｋｉｅのドメイン及びパスが、ブックマークに登録されたウェブページのドメイン及びパスを包含するか否かを判定する。このドメイン判定部３０８による判定は、実施の形態１で説明したようにして行われる。ドメイン判定部３０８により包含すると判定された場合には（Ｓ６０６でＹＥＳ）、処理部３０７は、該当するＣｏｏｋｉｅが不揮発性記憶領域３０２ａに存在するかを検索する。
【０１３５】
該当するＣｏｏｋｉｅが不揮発性記憶領域３０２ａに存在する場合には（Ｓ６０７でＹＥＳ）、処理部３０７は、不揮発性記憶領域３０２ａからＣｏｏｋｉｅを取得してウェブサーバに送信する（Ｓ６０８）。該当するＣｏｏｋｉｅが不揮発性記憶領域３０２ａに存在しない場合には（Ｓ６０７でＮＯ）、処理部３０７は、Ｃｏｏｋｉｅを送信することなく処理を終了する。
【０１３６】
また、ドメイン判定部３０８により包含しないと判定された場合には（Ｓ６０６でＮＯ）、処理部３０７は、Ｃｏｏｋｉｅを送信することなく処理を終了する。このようにして、Ｃｏｏｋｉｅの送信処理が終了する。
【０１３７】
その後、ブラウジング中に、ユーザが入力部を操作してウェブページ内の入力エリアに文字列を入力した場合には（Ｓ５０７でＹＥＳ）、処理部３０７は、不揮発性記憶領域３０２ａに記憶されたウェブページの入力履歴データのうち、ブックマークに登録されたウェブページの入力履歴データを使用させ、ブックマークに登録されていないウェブページの入力履歴データを使用させない処理を行う（Ｓ５０８）。この入力履歴データの使用処理は、上述したＣｏｏｋｉｅの送信処理と同様にして行われるので、その説明を省略する。
【０１３８】
その後、ブラウジング中に、ユーザが入力部を操作してウェブページを遷移させた場合には（Ｓ５０９でＹＥＳ）、処理部３０７は、不揮発性記憶領域３０２ａに記憶されたウェブページのキャッシュデータのうち、ブックマークに登録されたウェブページのキャッシュデータを使用させ、ブックマークに登録されていないウェブページのキャッシュデータを使用させない処理を行う（Ｓ５１０）。このキャッシュデータの使用処理は、上述したＣｏｏｋｉｅの送信処理と同様にして行われるので、その説明を省略する。
【０１３９】
このようにして、不揮発性記憶領域３０２ａに記憶されている履歴情報のうち、ブックマークに登録されたウェブページの履歴情報は使用され、ブックマークに登録されていないウェブページの履歴情報は使用されない。
【０１４０】
ユーザがブラウジングを終了するときには（Ｓ５１１でＹＥＳ）、ユーザが入力部を操作することにより、ウェブブラウザ制御部３０１はウェブブラウザを終了する（Ｓ５１２）。ウェブブラウザの終了時に、処理部３０７は、揮発性記憶領域３０２ｂに記憶されているウェブページの履歴情報を全て削除する（Ｓ５１３）。
【０１４１】
なお、本実施の形態では、ウェブブラウザの終了時に、ブックマークに登録されていないウェブページの履歴情報が揮発性記憶領域３０２ｂから削除されるように構成したが、このような構成に代えて、ウェブブラウザの起動時に、ブックマークに登録されていないウェブページの履歴情報が揮発性記憶領域３０２ｂから削除されるように構成することもできる。この場合において、ウェブブラウザの終了後に、ウェブブラウザ制御装置３０の通電が遮断された際には、揮発性記憶領域３０２ｂに記憶されたウェブページの履歴情報は自動的に削除される。
【０１４２】
また、本実施の形態では、記憶部３０２は不揮発性記憶領域３０２ａを有するように構成したが、ウェブブラウザ制御装置３０が連続的に通電される機器である場合には、記憶部３０２は不揮発性記憶領域３０２ａに代えて揮発性記憶領域を有するように構成することもできる。
【０１４３】
（実施の形態４）
図１４は、本発明の実施の形態４に係るテレビジョン受像機の外観を示す斜視図である。図１５は、図１４のテレビジョン受像機の機能的構成を示すブロック図である。
【０１４４】
図１４及び図１５に示すように、テレビジョン受像機４１は、ウェブブラウザ制御部４０１、記憶部４０２、表示制御部４０３、ネットワーク接続部４０４、表示部４０５及び入力部４０６を備えている。
【０１４５】
ウェブブラウザ制御部４０１、記憶部４０２、表示制御部４０３及びネットワーク接続部４０４はそれぞれ、上記実施の形態１におけるウェブブラウザ制御装置１０のウェブブラウザ制御部１０１、記憶部１０２、表示制御部１０３及びネットワーク接続部１０４と同様である。表示部４０５及び入力部４０６はそれぞれ、例えば、上記実施の形態１におけるテレビジョン受像機１１の表示部１１１及び入力部１１２と同様である。
【０１４６】
テレビジョン受像機４１は、さらに、放送信号を受信することにより映像信号を取得するチューナ部（図示せず）を備えている。表示部４０５には、チューナ部により取得された映像信号が表示される。
【０１４７】
従って、本実施の形態のテレビジョン受像機４１では、上記実施の形態１と同様の効果を得ることができる。なお、ウェブブラウザ制御部４０１、記憶部４０２、表示制御部４０３及びネットワーク接続部４０４はそれぞれ、上記実施の形態２におけるウェブブラウザ制御装置２０の各構成要素又は上記実施の形態３におけるウェブブラウザ制御装置３０の各構成要素と同様に構成することも可能である。
【０１４８】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。ここで、上記各実施の形態の画像復号化装置などを実現するソフトウェアは、次のようなプログラムである。
【０１４９】
すなわち、このプログラムは、ウェブブラウザの起動時に、ブックマークに登録されたウェブページの一覧を示すブックマーク一覧画面を表示部に表示させるステップと、ウェブブラウザの起動時から終了時までの間に、前記表示部に表示されたウェブページの履歴情報を記憶部に記憶させるステップと、ウェブブラウザの終了時又はウェブブラウザの起動時に、ブックマークに登録されていないウェブページの履歴情報を前記記憶部から削除するステップと、をコンピュータに実行させる。
【０１５０】
以上、本発明の一つ又は複数の態様に係るウェブブラウザ制御装置、ウェブブラウザ制御方法及びテレビジョン受像機について、実施の形態に基づいて説明したが、本発明は、この実施の形態に限定されるものではない。本発明の趣旨を逸脱しない限り、当業者が思い付く各種変形を本実施の形態に施したものや、異なる実施の形態における構成要素を組み合わせて構築される形態も、本発明の一つ又は複数の態様の範囲内に含まれてもよい。
【０１５１】
上記実施の形態では、ウェブブラウザの起動時にブックマーク一覧画面が表示部に表示されるように構成したが、ユーザがブラウジングを開始する前に、ブックマーク一覧画面を表示部に表示させればよい。例えば、ウェブブラウザの起動後に広告等を表示部に表示させ、その後にブックマーク一覧画面を表示部に表示させ、さらにその後にユーザによるブラウジングを開始するように構成することもできる。従って、「ブラウジングの起動時」には、ブラウジングを起動させてからユーザがブラウジングを開始する前の状態を含む。
【０１５２】
また、上記実施の形態では、ドメイン判定部は、ドメインの包含及びパスの包含を判定するように構成したが、ドメイン判定部は、ドメインの包含のみを判定するように構成することもできる。
【０１５３】
また、上記実施の形態では、ウェブページの履歴情報をウェブブラウザ制御装置又はテレビジョン受像機の内部の記憶領域に保存するように構成したが、ネットワーク対応のストレージやメモリーカード等を用いて、ウェブページの履歴情報をウェブブラウザ制御装置又はテレビジョン受像機の外部の記憶領域に保存するように構成することもできる。或いは、ウェブページの履歴情報をインターネット上のウェブサーバの記憶領域に保存するように構成することもできる。
【０１５４】
また、上記実施の形態では、ウェブブラウザ制御装置をテレビジョン受像機に接続する場合について説明したが、例えばウェブブラウザ制御装置をタブレット型情報端末又はテーブル型情報端末等に接続することもできる。或いは、ウェブブラウザ制御装置をタブレット型情報端末又はテーブル型情報端末等に内蔵することもできる。
【０１５５】
また、上記実施の形態では、ブックマーク一覧画面で削除メニュー及び設定メニューが表示されるように構成したが、設定メニューを省略するとともに、削除メニューを「ブックマークを削除」のメニューのみで構成することもできる。或いは、削除メニューを「ブックマークを削除」、「Ｃｏｏｋｉｅを削除」及び「キャッシュを削除」のメニューで構成することもできる。
【０１５６】
また、上記実施の形態では、ブックマーク一覧画面で削除メニュー及び設定メニューが表示されるように構成したが、設定メニューを省略し、削除メニューのみが表示されるように構成することもできる。
【０１５７】
また、上記実施の形態では、入力履歴データは、入力部としてのリモートコントローラで入力されたデータで構成したが、これに限られず、例えば入力部としてのキーボードで入力されたデータ又は入力部としてのマイクロホンで入力された音声データで構成することもできる。
【０１５８】
また、上記実施の形態では、ウェブブラウザ制御部は、ウェブブラウザの終了時又はウェブブラウザの起動時に、ブックマークに登録されたウェブページのドメイン及びサブドメインの履歴情報以外の履歴情報を記憶部から削除するように構成したが、例えば次のように構成することもできる。即ち、ウェブブラウザ制御部は、ドメイン判定部の文字列比較において、後方一致検索に代えて完全一致検索を用いることにより、ブックマークに登録されたウェブページのドメインの履歴情報以外の履歴情報を記憶部から削除するように構成することもできる。また、ドメイン判定部においてディレクトリを判定する場合に、ウェブブラウザ制御部は、ドメイン判定部の文字列比較において、前方一致検索に代えて完全一致検索を用いるように構成することもできる。
【産業上の利用可能性】
【０１５９】
本発明は、ウェブページを閲覧する際の利便性を高めながら、プライバシーの保護を図ることができるウェブブラウザ制御装置、ウェブブラウザ制御方法及びテレビジョン受像機として利用することができる。
【符号の説明】
【０１６０】
１０，２０，３０  ウェブブラウザ制御装置
１１，４１  テレビジョン受像機
１２  ウェブサーバ
１０１，２０１，３０１，４０１  ウェブブラウザ制御部
１０２，２０２，３０２，４０２  記憶部
１０２ａ，２０２ａ，３０２ａ  不揮発性記憶領域
１０３，２０３，３０３，４０３  表示制御部
１０４，４０４  ネットワーク接続部
１０６，２０６，３０６  ブラウザコア部
１０７，２０７，３０７  処理部
１０８，２０８，３０８  ドメイン判定部
１１１，４０５  表示部
１１２，４０６  入力部
１２１  表示エリア
１２２  表示バー
１２３  ロケーションバー
１２４  検索バー
１２５  ブックマーク表示
１２６  削除メニュー
１２７  設定メニュー
１２８，１２９  マーク
２０２ｂ，３０２ｂ  揮発性記憶領域
【図１】
2013099049.tif 000003
【図２】
2013099049.tif 000004
【図３】
2013099049.tif 000005
【図４】
2013099049.tif 000006
【図５】
2013099049.tif 000007
【図６】
2013099049.tif 000008
【図７】
2013099049.tif 000009
【図８】
2013099049.tif 000010
【図９】
2013099049.tif 000011
【図１０】
2013099049.tif 000012
【図１１】
2013099049.tif 000013
【図１２】
2013099049.tif 000014
【図１３】
2013099049.tif 000015
【図１４】
2013099049.tif 000016
【図１５】
2013099049.tif 000017
【手続補正書】
【提出日】平成26年2月12日(2014.2.12)
【手続補正１】
【補正対象書類名】明細書
【補正対象項目名】全文
【補正方法】変更
【補正の内容】
【発明の詳細な説明】
【技術分野】
【０００１】
本発明は、ウェブブラウザを搭載したウェブブラウザ制御装置及びウェブブラウザ制御方法に関する。また、本発明は、ウェブブラウザを搭載したインターネット対応のテレビジョン受像機に関する。
【背景技術】
【０００２】
近年、ウェブページを閲覧（ブラウジング）するためのウェブブラウザを搭載したインターネット対応の情報機器が開発され、普及し始めている。従来のウェブブラウザには、通常のブラウジングモードでウェブページを閲覧するタイプ（例えば、特許文献１参照）と、プライベートブラウジングモードでウェブページを閲覧するタイプ（例えば、特許文献２参照）とが存在する。
【０００３】
通常のブラウジングモードでは、ウェブブラウザを起動してから終了するまでの間、ウェブページの履歴情報が記憶領域に記憶される。記憶領域に記憶されたウェブページの履歴情報は、ウェブブラウザの終了後も記憶領域に保持される。
【０００４】
プライベートブラウジングモードでは、ウェブブラウザを起動してから終了するまでの間、ウェブページの履歴情報が記憶領域に記憶される。ウェブブラウザの終了時には、記憶領域に記憶されたウェブページの履歴情報は全て削除される。
【０００５】
なお、ウェブページの履歴情報は、例えばＣｏｏｋｉｅ、キャッシュデータ及び入力履歴データ等である。Ｃｏｏｋｉｅは、ウェブサーバとウェブブラウザとの間でやり取りされる識別情報データであり、例えばユーザの識別、認証、セッション管理及びウェブページのカスタマイズ情報の保持等に利用される。キャッシュデータは、記憶装置に一時的に保存されるウェブページのデータである。使用頻度の高いウェブページのデータを記憶装置に一時的に保存しておくことにより、ネットワークを通してウェブサーバからからウェブページのデータを読み出す時間的ロスを省いて、処理の高速化を図ることができる。入力履歴データは、ユーザがウェブページ内の入力エリアに入力した文字列のデータであり、ウェブブラウザに搭載されたオートコンプリート機能に利用される。オートコンプリート機能とは、ユーザの入力に対して入力履歴データを参照して次の入力内容を予想し、ユーザに対して予想した入力内容を候補として提示する機能である。
【先行技術文献】
【特許文献】
【０００６】
【特許文献１】特開２０１１−９６０２８号公報
【特許文献２】特許第４５７４３２７号公報
【発明の概要】
【発明が解決しようとする課題】
【０００７】
しかしながら、上述した従来のインターネット対応の情報機器では、プライバシーを十分に保護することができず、さらには、ウェブページを閲覧する際の利便性が低いという課題がある。
【０００８】
本発明は上記従来の課題を解決するものであり、その目的は、ウェブページを閲覧する際の利便性を高めながら、プライバシーの保護を図ることができるウェブブラウザ制御装置、ウェブブラウザ制御方法及びテレビジョン受像機を提供することである。
【課題を解決するための手段】
【０００９】
上記目的を達成するために、本発明の一態様に係るウェブブラウザ制御装置は、ウェブページとブックマークに登録されたウェブページの一覧を示すブックマーク一覧画面とを表示させる表示制御部と、前記表示制御部により表示されたウェブページの履歴情報及びブックマークに登録されたウェブページのブックマーク情報を記憶する記憶部と、ウェブブラウザの起動時に、前記記憶部に記憶されたブックマーク情報に基づいて前記ブックマーク一覧画面を表示させるように前記表示制御部に指示し、ウェブブラウザの終了時又はウェブブラウザの起動時に、ブックマークに登録されていないウェブページの履歴情報を前記記憶部から削除するウェブブラウザ制御部と、を備える。
【００１０】
なお、これらの全般的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１１】
本発明のウェブブラウザ制御装置、ウェブブラウザ制御方法及びテレビジョン受像機では、ウェブページを閲覧する際の利便性を高めながら、プライバシーの保護を図ることができる。
【図面の簡単な説明】
【００１２】
【図１】図１は、本発明の実施の形態１に係るウェブブラウザ制御装置の構成を示すブロック図である。
【図２】図２は、図１のウェブブラウザ制御部の構成を示すブロック図である。
【図３】図３は、ドメイン判定部によるドメイン及びパスの判定方法を説明するための図である。
【図４】図４は、ブックマーク一覧画面を示す図である。
【図５】図５は、ブックマーク一覧画面の一部を拡大して示す図である。
【図６】図６は、実施の形態１のウェブブラウザ制御装置によるウェブブラウザ制御方法の流れを示すフローチャートである。
【図７】図７は、図６における履歴情報の削除処理の流れを具体的に示すフローチャートである。
【図８】図８は、本発明の実施の形態２に係るウェブブラウザ制御装置のウェブブラウザ制御部の構成を示すブロック図である。
【図９】図９は、実施の形態２のウェブブラウザ制御装置によるウェブブラウザ制御方法の流れを説明するためのフローチャートである。
【図１０】図１０は、図９におけるＣｏｏｋｉｅの保存処理の流れを具体的に示すフローチャートである。
【図１１】図１１は、本発明の実施の形態３に係るウェブブラウザ制御装置のウェブブラウザ制御部の構成を示すブロック図である。
【図１２】図１２は、実施の形態３のウェブブラウザ制御装置によるウェブブラウザ制御方法の流れを説明するためのフローチャートである。
【図１３】図１３は、図１２におけるＣｏｏｋｉｅの送信処理の流れを具体的に示すフローチャートである。
【図１４】図１４は、本発明の実施の形態４に係るテレビジョン受像機の外観を示す斜視図である。
【図１５】図１５は、図１４のテレビジョン受像機の機能的構成を示すブロック図である。
【発明を実施するための形態】
【００１３】
（本発明の基礎となった知見）
本発明者は、「背景技術」の欄において記載したインターネット対応の情報機器に関し、以下の問題が生じることを見出した。例えばインターネット対応のテレビジョン受像機は、一般に、家族及び親戚等の複数のユーザによって使用されることが多い。複数のユーザによって使用される場合、通常のブラウジングモードでウェブページを閲覧するタイプでは、ウェブページの履歴情報が複数のユーザによって共有される。例えばＣｏｏｋｉｅが複数のユーザによって共有されることによって、あるユーザがインターネット通販のウェブサイトで商品を購入した際の購入履歴等が、後でその情報機器を使用した家族及び親戚等の他のユーザに見られるおそれがある。このように、通常のブラウジングモードでは、プライバシーを十分に保護することができないという問題がある。
【００１４】
また、プライベートブラウジングモードでウェブページを閲覧するタイプでは、複数のユーザによって共有することができるウェブページの履歴情報、例えばウェブページのカスタマイズ情報等もウェブブラウザの終了時に削除されてしまう。そのため、例えばウェブブラウザを起動する度に、ユーザはウェブページのカスタマイズを設定し直す必要がある。従って、プライベートブラウジングモードでは、ウェブページを閲覧する際の利便性が著しく低下するという問題がある。
【００１５】
なお、仮に、ユーザによって通常のブラウジングモードとプライベートブラウジングモードとが切り替えられるように構成した場合には、ユーザは、プライベートブラウジングモードの意味を理解し、ブラウジングモードの切り替え方法を習得した上で、ウェブページを閲覧する前に、通常のブラウジングモード又はプライベートブラウジングモードに切り替える設定を意識して行う必要がある。従って、この場合にも、ウェブページを閲覧する際の利便性が低下するという問題が生じる。
【００１６】
このような問題を解決するために、本発明の一態様に係るウェブブラウザ制御装置は、ウェブページとブックマークに登録されたウェブページの一覧を示すブックマーク一覧画面とを表示させる表示制御部と、前記表示制御部により表示されたウェブページの履歴情報及びブックマークに登録されたウェブページのブックマーク情報を記憶する記憶部と、ウェブブラウザの起動時に、前記記憶部に記憶されたブックマーク情報に基づいて前記ブックマーク一覧画面を表示させるように前記表示制御部に指示し、ウェブブラウザの終了時又はウェブブラウザの起動時に、ブックマークに登録されていないウェブページの履歴情報を前記記憶部から削除するウェブブラウザ制御部と、を備える。
【００１７】
本態様によれば、ブックマーク（お気に入り）に登録されたウェブページの一覧がウェブブラウザの起動時に表示されるため、ユーザは、その情報機器を共用する他のユーザも前記ウェブページの一覧を見るであろうことを容易に認識することができる。ユーザは、一般に、他のユーザに閲覧していることが知られたくないウェブページ、換言すると、ウェブページの履歴情報を他のユーザと共有したくないウェブページを、ウェブブラウザの起動時に毎回表示されるブックマークに登録しない傾向にある。従って、ウェブブラウザの終了時又はウェブブラウザの起動時に、本態様のようにブックマークに登録されていないウェブページの履歴情報が記憶部から削除されることにより、ユーザがブラウジングモードを手動で切り替えなくても、プライバシーを保護することができる。一方、ブックマークに登録されたウェブページの履歴情報は記憶部に保持されるので、ユーザが切り替わった場合であっても、例えばウェブページのカスタマイズ情報等を引き継ぐことができ、ウェブブラウザを閲覧する際の利便性を高めることができる。さらに、ユーザは、自分が頻繁に閲覧するウェブページをブックマークに登録する傾向にある。そのため、ウェブブラウザの起動時にブックマーク一覧画面が表示制御部により表示されることにより、ユーザは、頻繁に閲覧するウェブページに、より簡単にアクセスすることができる。
【００１８】
例えば、本発明の一態様に係るウェブブラウザ制御装置において、前記記憶部は、不揮発性記憶領域又は揮発性記憶領域で構成される記憶領域を有し、前記記憶領域には、前記表示制御部により表示されたウェブページの履歴情報及びブックマークに登録されたウェブページのブックマーク情報が記憶され、前記ウェブブラウザ制御部は、ウェブブラウザの終了時又はウェブブラウザの起動時に、前記記憶領域に記憶されたウェブページの履歴情報及びブックマーク情報に基づいて、前記記憶領域に記憶されたウェブページの履歴情報のうちブックマークに登録されていないウェブページの履歴情報を前記記憶領域から削除するように構成してもよい。
【００１９】
本態様によれば、ウェブブラウザの終了時又はウェブブラウザの起動時に、ブックマークに登録されていないウェブページの履歴情報が記憶領域から削除されることにより、プライバシーを十分に保護することができる。
【００２０】
例えば、本発明の一態様に係るウェブブラウザ制御装置において、前記記憶領域には、前記表示制御部により表示されたウェブページの履歴情報に関するドメインと、ブックマークに登録されたウェブページのＵＲＬのドメインとが記憶され、前記ウェブブラウザ制御部は、ウェブブラウザの終了時又はウェブブラウザの起動時に、前記記憶領域に記憶されたウェブページの履歴情報に関するドメインが、ブックマークに登録されたウェブページのＵＲＬのドメインを包含するか否かを判定するドメイン判定部と、ウェブブラウザの終了時又はウェブブラウザの起動時に、前記ドメイン判定部により包含すると判定された場合には、ウェブページの履歴情報を前記記憶領域に保持し、前記ドメイン判定部により包含しないと判定された場合には、ウェブページの履歴情報を前記記憶領域から削除する処理部と、を有するように構成してもよい。
【００２１】
本態様によれば、ウェブブラウザの終了時又はウェブブラウザの起動時に、ブックマークに登録されていないウェブページの履歴情報を記憶領域から削除する処理を確実に行うことができる。
【００２２】
例えば、本発明の一態様に係るウェブブラウザ制御装置において、前記記憶部は、第１の記憶領域及び第２の記憶領域を有し、前記第１の記憶領域には、ブックマークに登録されたウェブページのブックマーク情報が記憶され、前記ウェブブラウザ制御部は、ウェブブラウザの起動時から終了時までの間に、前記第１の記憶領域に記憶されたブックマーク情報に基づいて、前記表示制御部により表示されたウェブページのうちブックマークに登録されたウェブページの履歴情報を前記第１の記憶領域に記憶させ、前記表示制御部により表示されたウェブページのうちブックマークに登録されていないウェブページの履歴情報を前記第２の記憶領域に記憶させ、ウェブブラウザの終了時又はウェブブラウザの起動時に、ブックマークに登録されていないウェブページの履歴情報を前記第２の記憶領域から削除するように構成してもよい。
【００２３】
本態様によれば、ウェブブラウザの終了時又はウェブブラウザの起動時に、ブックマークに登録されていないウェブページの履歴情報が第２の記憶領域から削除されることにより、プライバシーを十分に保護することができる。また、ブックマークに登録されたウェブページの履歴情報は第１の記憶領域に保持されるので、ウェブブラウザを閲覧する際の利便性を高めることができる。
【００２４】
例えば、本発明の一態様に係るウェブブラウザ制御装置において、前記第１の記憶領域には、ブックマークに登録されたウェブページのＵＲＬのドメインが記憶され、前記ウェブブラウザ制御部は、ウェブブラウザの起動時から終了時までの間に、前記表示制御部により表示されたウェブページの履歴情報に関するドメインが、ブックマークに登録されたウェブページのＵＲＬのドメインを包含するか否かを判定するドメイン判定部と、前記ドメイン判定部により包含すると判定された場合には、ウェブページの履歴情報を前記第１の記憶領域に記憶させ、前記ドメイン判定部により包含しないと判定された場合には、ウェブページの履歴情報を前記第２の記憶領域に記憶させ、ウェブブラウザの終了時又はウェブブラウザの起動時に、前記第２の記憶領域に記憶されたウェブページの履歴情報を削除する処理部と、を有するように構成してもよい。
【００２５】
本態様によれば、ウェブブラウザの起動時から終了時までの間に、ブックマークに登録されたウェブページの履歴情報を第１の記憶領域に記憶させる処理及びブックマークに登録されていないウェブページの履歴情報を第２の記憶領域から削除する処理を確実に行うことができる。
【００２６】
例えば、本発明の一態様に係るウェブブラウザ制御装置において、前記第１の記憶領域は不揮発性記憶領域であり、前記第２の記憶領域は揮発性記憶領域であるように構成してもよい。
【００２７】
本態様によれば、第１の記憶領域を不揮発性記憶領域とすることにより、ウェブブラウザ制御装置の通電が遮断された際に、ブックマークに登録されたウェブページの履歴情報を第１の記憶領域に保持させることができる。また、第２の記憶領域を揮発性記憶領域とすることにより、ウェブブラウザ制御装置の通電が遮断された際に、ブックマークに登録されていないウェブページの履歴情報が第２の記憶領域から消去される。
【００２８】
例えば、本発明の一態様に係るウェブブラウザ制御装置において、前記記憶部は、第１の記憶領域及び第２の記憶領域を有し、前記第１の記憶領域には、ブックマークに登録されたウェブページのブックマーク情報が記憶され、前記ウェブブラウザ制御部は、ウェブブラウザの起動時から終了時までの間に、前記表示制御部により表示されたウェブページの履歴情報を前記第１の記憶領域及び前記第２の記憶領域にそれぞれ記憶させ、使用すべきウェブページの履歴情報が前記第２の記憶領域に存在する場合には、前記第２の記憶領域に記憶されたウェブページの履歴情報を使用し、使用すべきウェブページの履歴情報が前記第２の記憶領域に存在しない場合には、前記第１の記憶領域に記憶されたブックマーク情報に基づいて、前記第１の記憶領域に記憶されたウェブページの履歴情報を使用するか否かを判定し、ウェブブラウザの終了時又はウェブブラウザの起動時に、前記第２の記憶領域に記憶されたウェブページの履歴情報を削除するように構成してもよい。
【００２９】
本態様によれば、ウェブブラウザの終了時又はウェブブラウザの起動時に、ブックマークに登録されていないウェブページの履歴情報が第２の記憶領域から削除されることにより、プライバシーを十分に保護することができる。
【００３０】
例えば、本発明の一態様に係るウェブブラウザ制御装置において、前記第１の記憶領域には、ブックマークに登録されたウェブページのＵＲＬのドメインが記憶され、前記ウェブブラウザ制御部は、ウェブブラウザの起動時から終了時までの間に、使用すべきウェブページの履歴情報が前記第２の記憶領域に存在しない場合において、使用すべきウェブページの履歴情報に関するドメインが、ブックマークに登録されたウェブページのＵＲＬのドメインを包含するか否かを判定するドメイン判定部と、前記ドメイン判定部により包含すると判定された場合には、前記第１の記憶領域に記憶された履歴情報を使用し、前記ドメイン判定部により包含しないと判定された場合には、前記第１の記憶領域に記憶された履歴情報を使用せず、ウェブブラウザの終了時又はウェブブラウザの起動時に、前記第２の記憶領域に記憶されたウェブページの履歴情報を削除する処理部と、を有するように構成してもよい。
【００３１】
本態様によれば、ウェブブラウザの起動時から終了時までの間において、第１の記憶領域に記憶されたウェブページの履歴情報のうちブックマークに登録されたウェブページの履歴情報を使用する処理及びブックマークに登録されていないウェブページの履歴情報を使用しない処理を確実に行うことができる。
【００３２】
例えば、本発明の一態様に係るウェブブラウザ制御装置において、前記第１の記憶領域は不揮発性記憶領域であり、前記第２の記憶領域は揮発性記憶領域であるように構成してもよい。
【００３３】
本態様によれば、第１の記憶領域を不揮発性記憶領域とすることにより、ウェブブラウザ制御装置の通電が遮断された際に、ブックマークに登録されたウェブページの履歴情報を第１の記憶領域に保持させることができる。また、第２の記憶領域を揮発性記憶領域とすることにより、ウェブブラウザ制御装置の通電が遮断された際に、ブックマークに登録されていないウェブページの履歴情報が第２の記憶領域から消去される。
【００３４】
例えば、本発明の一態様に係るウェブブラウザ制御装置において、前記ウェブブラウザ制御部は、ウェブブラウザの終了時又はウェブブラウザの起動時に、ブックマークに登録されたウェブページのドメイン及びサブドメインの履歴情報以外の履歴情報を前記記憶部から削除するように構成してもよい。
【００３５】
本態様によれば、ブックマークに登録されたウェブページを閲覧する際の利便性を高めることができる。
【００３６】
例えば、本発明の一態様に係るウェブブラウザ制御装置において、前記ウェブブラウザ制御部は、ウェブブラウザの終了時又はウェブブラウザの起動時に、ブックマークに登録されたウェブページのドメイン及びサブディレクトリの履歴情報以外の履歴情報を前記記憶部から削除するように構成してもよい。
【００３７】
本態様によれば、ブックマークに登録されたウェブページを閲覧する際の利便性を高めることができる。
【００３８】
例えば、本発明の一態様に係るウェブブラウザ制御装置において、前記ウェブブラウザ制御部は、特定のウェブページのブックマーク情報が前記記憶部から削除された際に、前記特定のウェブページの履歴情報を前記記憶部から削除するように構成してもよい。
【００３９】
本態様によれば、特定のウェブページのブックマーク情報が記憶部から削除された際に、特定のウェブページの履歴情報が記憶部に保持されたままになることがなく、プライバシーをより確実に保護することができる。
【００４０】
例えば、本発明の一態様に係るウェブブラウザ制御装置において、前記記憶部に記憶されるウェブページの履歴情報は、Ｃｏｏｋｉｅ、キャッシュデータ、入力履歴データ、ページ閲覧履歴データ及びページ関連情報データのうち少なくとも１つを含むように構成してもよい。
【００４１】
本態様によれば、記憶部に記憶されるウェブページの履歴情報を、Ｃｏｏｋｉｅ、キャッシュデータ、入力履歴データ、ページ閲覧履歴データ及びページ関連情報データのうち少なくとも１つで構成することができる。
【００４２】
例えば、本発明の一態様に係るウェブブラウザ制御装置において、前記ページ関連情報データは、画面イメージ又はｒｅｆｅｒｅｒであるように構成してもよい。
【００４３】
本態様によれば、ページ関連情報データを画面イメージ又はｒｅｆｅｒｅｒで構成することができる。
【００４４】
例えば、本発明の一態様に係るウェブブラウザ制御装置において、前記ページ関連情報データは、当該ページ関連情報データが取得されたウェブページのドメインとともに前記記憶部に記憶されるように構成してもよい。
【００４５】
本態様によれば、ページ関連情報データが取得されたウェブページのドメインに基づいて、ページ関連情報データの処理（例えば、削除処理、保存処理又は使用処理）を行うことができる。
【００４６】
例えば、本発明の一態様に係るウェブブラウザ制御装置において、前記入力履歴データは、入力が行われたウェブページのドメインとともに前記記憶部に記憶されるように構成してもよい。
【００４７】
本態様によれば、入力が行われたウェブページのドメインに基づいて、入力履歴データの処理（例えば、削除処理、保存処理又は使用処理）を行うことができる。
【００４８】
例えば、本発明の一態様に係るウェブブラウザ制御装置において、前記表示制御部は、ブックマークに登録された複数のウェブページに対応する複数のブックマーク表示を前記ブックマーク一覧画面に表示させ、前記複数のブックマーク表示の各々を１つずつフォーカス表示させることが可能であり、前記複数のブックマーク表示のうち特定のブックマーク表示がフォーカス表示されている際に、前記特定のブックマーク表示に対応するウェブページの履歴情報を前記記憶部から削除するための削除メニューを前記ブックマーク一覧画面に表示させるように構成してもよい。
【００４９】
本態様によれば、ブックマーク一覧画面に表示された削除メニューを用いて、フォーカス表示された特定のブックマーク表示に対応するウェブページの履歴情報を削除することができる。
【００５０】
例えば、本発明の一態様に係るウェブブラウザ制御装置において、前記表示制御部は、ブックマークに登録された複数のウェブページに対応する複数のブックマーク表示を前記ブックマーク一覧画面に表示させ、前記複数のブックマーク表示の各々を１つずつフォーカス表示させることが可能であり、前記複数のブックマーク表示のうち特定のブックマーク表示がフォーカス表示されている際に、前記特定のブックマーク表示に対応するウェブページの履歴情報を前記記憶部に記憶させるか否かを設定するための設定メニューを前記ブックマーク一覧画面に表示させるように構成してもよい。
【００５１】
本態様によれば、ブックマーク一覧画面に表示された設定メニューを用いて、フォーカス表示された特定のブックマーク表示に対応するウェブページの履歴情報を記憶部に記憶させるように又は記憶させないように設定することができる。
【００５２】
例えば、本発明の一態様に係るウェブブラウザ制御装置において、前記設定メニューにより、前記特定のブックマーク表示に対応するウェブページの履歴情報を前記記憶部に記憶させるように設定されたときには、前記表示制御部は、ウェブページの履歴情報を前記記憶部に記憶させる設定であることを示す表示を前記ブックマーク一覧画面に表示させるように構成してもよい。
【００５３】
本態様によれば、ユーザは、ブックマーク一覧画面の表示を見ることにより、ウェブページの履歴情報を記憶部に記憶させる設定であることを容易に認識することができる。
【００５４】
例えば、本発明の一態様に係るウェブブラウザ制御装置において、前記設定メニューにより、前記特定のブックマーク表示に対応するウェブページの履歴情報を前記記憶部に記憶させないように設定されたときには、前記表示制御部は、ウェブページの履歴情報を前記記憶部に記憶させない設定であることを示す表示を前記ブックマーク一覧画面に表示させるように構成してもよい。
【００５５】
本態様によれば、ユーザは、ブックマーク一覧画面の表示を見ることにより、ウェブページの履歴情報を記憶部に記憶させない設定であることを容易に認識することができる。
【００５６】
例えば、本発明の一態様に係るウェブブラウザ制御装置において、前記表示制御部は、前記ブックマーク一覧画面において、前記複数のブックマーク表示を仮想的に略円筒状に並べて配置させ、且つ、前記複数のブックマーク表示を仮想的に所定方向に回転させるように構成してもよい。
【００５７】
本態様によれば、ブックマーク一覧の表示が一画面に収まらない場合においても、表示サイズを落とすことなく、全てのブックマーク表示を表示させることができる。従って、ユーザは、視認性を落とすことなく、ブラウジング開始前により多くのブックマーク表示を見ることができる。これにより、本発明において、より多くのブックマーク表示を扱うことができる。
【００５８】
例えば、本発明の一態様に係るウェブブラウザ制御装置において、前記ブックマーク表示は、ブックマークに登録されたウェブページの画面をキャプチャした画像で構成されるように構成してもよい。
【００５９】
本態様によれば、ユーザは、ブックマーク表示を見ることによって、ブックマークに登録されたウェブページの内容を視覚的に容易に認識することができる。
【００６０】
また、本発明の一態様に係るウェブブラウザ制御方法は、ウェブブラウザの起動時に、ブックマークに登録されたウェブページの一覧を示すブックマーク一覧画面を表示部に表示させるステップと、ウェブブラウザの起動時から終了時までの間に、前記表示部に表示されたウェブページの履歴情報を記憶部に記憶させるステップと、ウェブブラウザの終了時又はウェブブラウザの起動時に、ブックマークに登録されていないウェブページの履歴情報を前記記憶部から削除するステップと、を含む。
【００６１】
本態様によれば、ブックマーク（お気に入り）に登録されたウェブページの一覧がウェブブラウザの起動時に表示されるため、ユーザは、その情報機器を共用する他のユーザも前記ウェブページの一覧を見るであろうことを容易に認識することができる。ユーザは、一般に、他のユーザに閲覧していることが知られたくないウェブページ、換言すると、ウェブページの履歴情報を他のユーザと共有したくないウェブページを、ウェブブラウザの起動時に毎回表示されるブックマークに登録しない傾向にある。従って、ウェブブラウザの終了時又はウェブブラウザの起動時に、本態様のようにブックマークに登録されていないウェブページの履歴情報が記憶部から削除されることにより、ユーザがブラウジングモードを手動で切り替えなくても、プライバシーを保護することができる。一方、ブックマークに登録されたウェブページの履歴情報は記憶部に保持されるので、ユーザが切り替わった場合であっても、例えばウェブページのカスタマイズ情報等を引き継ぐことができ、ウェブブラウザを閲覧する際の利便性を高めることができる。さらに、ユーザは、自分が頻繁に閲覧するウェブページをブックマークに登録する傾向にある。そのため、ウェブブラウザの起動時にブックマーク一覧画面が表示部に表示されることにより、ユーザは、頻繁に閲覧するウェブページに、より簡単にアクセスすることができる。
【００６２】
また、本発明の一態様に係るテレビジョン受像機は、表示部と、ウェブページとブックマークに登録されたウェブページの一覧を示すブックマーク一覧画面とを前記表示部に表示させる表示制御部と、前記表示制御部により表示されたウェブページの履歴情報及びブックマークに登録されたウェブページのブックマーク情報を記憶する記憶部と、ウェブブラウザの起動時に、前記記憶部に記憶されたブックマーク情報に基づいて前記ブックマーク一覧画面を表示させるように前記表示制御部に指示し、ウェブブラウザの終了時又はウェブブラウザの起動時に、ブックマークに登録されていないウェブページの履歴情報を前記記憶部から削除するウェブブラウザ制御部と、を備える。
【００６３】
本態様によれば、ブックマーク（お気に入り）に登録されたウェブページの一覧がウェブブラウザの起動時に表示されるため、ユーザは、その情報機器を共用する他のユーザも前記ウェブページの一覧を見るであろうことを容易に認識することができる。ユーザは、一般に、他のユーザに閲覧していることが知られたくないウェブページ、換言すると、ウェブページの履歴情報を他のユーザと共有したくないウェブページを、ウェブブラウザの起動時に毎回表示されるブックマークに登録しない傾向にある。従って、ウェブブラウザの終了時又はウェブブラウザの起動時に、本態様のようにブックマークに登録されていないウェブページの履歴情報が記憶部から削除されることにより、ユーザがブラウジングモードを手動で切り替えなくても、プライバシーを保護することができる。一方、ブックマークに登録されたウェブページの履歴情報は記憶部に保持されるので、ユーザが切り替わった場合であっても、例えばウェブページのカスタマイズ情報等を引き継ぐことができ、ウェブブラウザを閲覧する際の利便性を高めることができる。さらに、ユーザは、自分が頻繁に閲覧するウェブページをブックマークに登録する傾向にある。そのため、ウェブブラウザの起動時にブックマーク一覧画面が表示部に表示されることにより、ユーザは、頻繁に閲覧するウェブページに、より簡単にアクセスすることができる。
【００６４】
なお、これらの全般的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム又は記録媒体の任意な組み合わせで実現されてもよい。
【００６５】
（実施の形態）
以下、本発明に係るウェブブラウザ制御装置、ウェブブラウザ制御方法及びテレビジョン受像機の各種実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００６６】
（実施の形態１）
図１は、本発明の実施の形態１に係るウェブブラウザ制御装置の構成を示すブロック図である。ウェブブラウザ制御装置１０は、例えばテレビジョン受像機１１に接続されている。
【００６７】
テレビジョン受像機１１は、放送信号を受信することにより映像信号を取得するチューナ部（図示せず）と、取得した映像信号等を表示する表示部１１１と、表示部１１１に表示された表示画面等を操作する入力部１１２と、を備えている。表示部１１１は、例えば液晶ディスプレイで構成されている。入力部１１２は、例えばリモートコントローラで構成されている。ユーザは、この入力部１１２を操作することによって、例えば表示部１１１に表示されたブックマーク一覧画面（後述する）を操作する、或いは、表示部１１１に表示されたウェブページ内の入力エリアに文字列を入力することができる。
【００６８】
なお、本実施の形態では、ウェブブラウザ制御装置１０とテレビジョン受像機１１とを別体に構成したが、両者を一体に構成してもよい。
【００６９】
図１に示すように、ウェブブラウザ制御装置１０は、ウェブブラウザ制御部１０１、記憶部１０２、表示制御部１０３及びネットワーク接続部１０４を備えている。
【００７０】
ウェブブラウザ制御部１０１は、ウェブサーバ１２からネットワーク接続部１０４を介してＨＴＭＬファイル及び画像ファイル等をダウンロードし、レイアウトを解析することにより、表示制御部１０３に対してウェブページを表示するように指示する。ウェブブラウザ制御部１０１の構成については後述する。なお、ウェブブラウザは、ブラウジング機能を有するアプリケーションの一部に実装されていてもよい。
【００７１】
記憶部１０２は、例えば不揮発性メモリ等で構成される不揮発性記憶領域１０２ａ（図２参照）を有している。この不揮発性記憶領域１０２ａには、表示制御部１０３により表示された（即ち、ユーザにより閲覧された）ウェブページに関する情報である履歴情報及びブックマークに登録されたウェブページを示すブックマーク情報等が記憶されている。
【００７２】
本実施の形態では、ウェブページの履歴情報は、Ｃｏｏｋｉｅ、キャッシュデータ及び入力履歴データで構成されている。Ｃｏｏｋｉｅは、ウェブサーバ１２とウェブブラウザとの間でやり取りされる識別情報データである。キャッシュデータは、高速の記憶装置に一時的に保存されるウェブページのデータである。入力履歴データは、ユーザがウェブページ内の入力エリアに入力した文字列のデータであり、ウェブブラウザに搭載されたオートコンプリート機能に利用される。なお、入力履歴データは、ユーザが入力を行ったウェブページのＵＲＬ（Ｕｎｉｆｏｒｍ  Ｒｅｓｏｕｒｃｅ  Ｌｏｃａｔｏｒ）とともに記憶されている。
【００７３】
また、ブックマーク情報は、ブックマーク（お気に入り）に登録されたウェブページのＵＲＬ、ウェブページのサムネイル画像データ及びブックマークに登録された年月日を含むデータである。
【００７４】
表示制御部１０３は、ウェブブラウザ制御部１０１からの指示によって、ウェブページ及びブックマーク一覧画面（後述する）等を表示部１１１に表示させる。
【００７５】
ネットワーク接続部１０４は、インターネットを介してウェブブラウザ制御部１０１とウェブサーバ１２とを相互に接続するためのものである。
【００７６】
ウェブサーバ１２には、ＨＴＭＬファイル及び画像ファイル等が蓄積されている。ウェブサーバ１２は、ウェブブラウザ制御部１０１からの要求に応じて、ネットワーク接続部１０４を介してＨＴＭＬファイル及び画像ファイル等をウェブブラウザ制御部１０１に提供する。
【００７７】
次に、ウェブブラウザ制御部１０１の構成について説明する。図２は、図１のウェブブラウザ制御部の構成を示すブロック図である。図２に示すように、ウェブブラウザ制御部１０１は、ブラウザコア部１０６、処理部１０７及びドメイン判定部１０８を有している。
【００７８】
ブラウザコア部１０６は、ウェブブラウザの起動時に、処理部１０７に対して、ブックマークに登録されていないウェブページの履歴情報を削除するように指示する。また、ブラウザコア部１０６は、ウェブブラウザの起動時に、表示制御部１０３に対してブックマーク一覧画面を表示するように指示する。表示制御部１０３は、ブラウザコア部１０６からの指示に基づいて、ウェブページのブックマーク情報を不揮発性記憶領域１０２ａから取得することにより、表示部１１１にブックマーク一覧画面を表示させる。
【００７９】
処理部１０７は、ブラウザコア部１０６からの指示に基づいて、ブックマークに登録されたウェブページのドメイン及びパス並びにウェブページの履歴情報に関するドメイン及びパスを不揮発性記憶領域１０２ａから取得することにより、ドメイン判定部１０８に対してドメイン及びパスの判定を指示する。また、処理部１０７は、ドメイン判定部１０８からの判定結果に基づいて、不揮発性記憶領域１０２ａに記憶されているウェブページの履歴情報のうち、ブックマークに登録されていないウェブページの履歴情報を削除する。
【００８０】
ドメイン判定部１０８は、処理部１０７からの指示に基づいて、ウェブページの履歴情報に関するドメイン及びパスが、ブックマークに登録されたウェブページのＵＲＬのドメイン及びパスを包含するか否かを判定する。ドメイン判定部１０８により包含すると判定された場合には、処理部１０７は、ウェブページの履歴情報を不揮発性記憶領域１０２ａに保持させる。ドメイン判定部１０８により包含しないと判定された場合には、処理部１０７は、ウェブページの履歴情報を不揮発性記憶領域１０２ａから削除する。
【００８１】
ドメイン判定部１０８によるドメイン及びパスの判定は、次のようにして行われる。図３は、ドメイン判定部１０８によるドメイン及びパスの判定方法を説明するための図である。図３に示すように、ブックマークに登録されたウェブページのＵＲＬのドメイン及びパスが「ｗｗｗ．ａａａ．ｃｏｍ／ｄｉｒ１／ｄｉｒ２」であり、履歴情報がＣｏｏｋｉｅである場合について説明する。ドメイン判定部１０８は、Ｃｏｏｋｉｅのドメインがブックマークに登録されたウェブページのドメインを包含するか否かについて、文字列の後方一致検索により判定する。また、ドメイン判定部１０８は、Ｃｏｏｋｉｅのパスがブックマークに登録されたウェブページのパスを包含するか否かについて、文字列の前方一致検索により判定する。
【００８２】
Ｃｏｏｋｉｅのドメイン及びパスが「ｗｗｗ．ａａａ．ｃｏｍ／ｄｉｒ１／ｄｉｒ２」である場合には、ドメイン判定部１０８は、Ｃｏｏｋｉｅのドメイン及びパスがブックマークに登録されたウェブページのドメイン及びパスを包含すると判定する。また、Ｃｏｏｋｉｅのドメイン及びパスが「ｌｏｇｉｎ．ｗｗｗ．ａａａ．ｃｏｍ／ｄｉｒ１／ｄｉｒ２／ｄｉｒ３」である場合には、ドメイン判定部１０８は、Ｃｏｏｋｉｅのドメイン及びパスがブックマークに登録されたウェブページのドメイン及びパスを包含すると判定する。
【００８３】
Ｃｏｏｋｉｅのドメイン及びパスが「ａａａ．ｃｏｍ／ｄｉｒ１／ｄｉｒ２」である場合には、ドメイン判定部１０８は、Ｃｏｏｋｉｅのドメイン及びパスがブックマークに登録されたウェブページのドメイン及びパスを包含しないと判定する。また、Ｃｏｏｋｉｅのドメイン及びパスが「ｗｗｗ．ａａａ．ｃｏｍ／ｄｉｒ１／ｂｂｂ」である場合には、ドメイン判定部１０８は、Ｃｏｏｋｉｅのドメイン及びパスがブックマークに登録されたウェブページのドメイン及びパスを包含しないと判定する。
【００８４】
なお、キャッシュデータ及び入力履歴データについても、上述したＣｏｏｋｉｅと同様に判定することができる。キャッシュデータについては、キャッシュされたウェブページのＵＲＬのファイル名を除いた部分に対して、ドメイン及びパスの判定が行われる。入力履歴データについては、ユーザが入力を行ったウェブページのＵＲＬのドメイン及びパスに対して、ドメイン及びパスの判定が行われる。
【００８５】
上述したように、表示制御部１０３は、ブックマーク一覧画面の表示を制御する。ここで、このブックマーク一覧画面について説明する。図４は、ブックマーク一覧画面を示す図である。図４に示すように、ブックマーク一覧画面は、表示エリア１２１と、表示エリア１２１の上側に配置された表示バー１２２とで構成される。表示バー１２２には、ロケーションバー１２３及び検索バー１２４が表示されている。ロケーションバー１２３には、ユーザが入力部１１２を操作することによって、閲覧したいウェブページのＵＲＬが入力される。検索バー１２４には、ユーザが入力部１１２を操作することによって、所定の検索エンジンで検索したいワードが入力される。
【００８６】
表示エリア１２１には、ブックマークに登録された複数のウェブページに対応する複数のブックマーク表示１２５が表示される。ブックマーク表示１２５は、例えばウェブページの画面をキャプチャすることにより作成されたサムネイル画像である。このサムネイル画像は、ユーザがウェブページをブックマークに登録する操作を行った際に、そのウェブページの画面をキャプチャすることにより作成される。複数のブックマーク表示１２５は、仮想的に略円筒状に並べて配置され、且つ、仮想的に所定方向（図４中に矢印で示す方向）に自動的に回転される。複数のブックマーク表示１２５の回転が一周することにより、全てのブックマーク表示１２５が複数個ずつ順に表示エリア１２１に表示される。なお、ユーザが入力部１１２を操作することによって、複数のブックマーク表示１２５の回転を停止させることも可能である。
【００８７】
また、ユーザが入力部１１２を操作することによって、表示エリア１２１に表示された複数のブックマーク表示１２５の各々を１つずつ順にフォーカス表示させることができる。このフォーカス表示は、例えばブックマーク表示１２５の外周部を囲む矩形状の太枠で構成される。
【００８８】
図５は、ブックマーク一覧画面の一部を拡大して示す図である。図５に示すように、特定のブックマーク表示１２５がフォーカス表示されている際に、ユーザが入力部１１２を操作することにより、フォーカス表示されたブックマーク表示１２５に対する削除メニュー１２６及び設定メニュー１２７がそれぞれ表示エリア１２１に表示される。
【００８９】
削除メニュー１２６は、「ブックマークを削除」、「Ｃｏｏｋｉｅを削除」、「キャッシュを削除」及び「入力履歴を削除」と表示された４つのメニューで構成される。「ブックマークを削除」と表示されたメニューを選択して実行すると、フォーカス表示されたブックマーク表示１２５に対応するウェブページのブックマーク情報が不揮発性記憶領域１０２ａから削除される。このとき、ウェブブラウザ制御部１０１は、ウェブページのブックマーク情報を削除する際に、そのウェブページの履歴情報（Ｃｏｏｋｉｅ、キャッシュデータ及び入力履歴データ）については不揮発性記憶領域１０２ａから削除せず、ウェブブラウザの終了時又は次回のウェブブラウザの起動時に削除するように構成することもできる。「Ｃｏｏｋｉｅを削除」と表示されたメニューを選択して実行すると、フォーカス表示されたブックマーク表示１２５に対応するウェブページのＣｏｏｋｉｅが不揮発性記憶領域１０２ａから削除される。「キャッシュを削除」と表示されたメニューを選択して実行すると、フォーカス表示されたブックマーク表示１２５に対応するウェブページのキャッシュデータが不揮発性記憶領域１０２ａから削除される。「入力履歴を削除」と表示されたメニューを選択して実行すると、フォーカス表示されたブックマーク表示１２５に対応するウェブページの入力履歴データが不揮発性記憶領域１０２ａから削除される。このように、削除メニュー１２６を用いることによって、ブックマークに登録されたウェブページの履歴情報をユーザが個別に削除することができる。なお、図５では、削除メニュー１２６のうち、「ブックマークを削除」と表示されたメニューが選択された状態を図示している。
【００９０】
設定メニュー１２７は、「Ｃｏｏｋｉｅを保存しない」、「キャッシュを保存しない」及び「入力履歴を保存しない」と表示された３つのメニューで構成される。「Ｃｏｏｋｉｅを保存しない」と表示されたメニューを選択して実行すると、それ以降、フォーカス表示されたブックマーク表示１２５に対応するウェブページのＣｏｏｋｉｅは、ウェブブラウザの起動時に不揮発性記憶領域１０２ａから削除される。「キャッシュを保存しない」と表示されたメニューを選択して実行すると、それ以降、フォーカス表示されたブックマーク表示１２５に対応するウェブページのキャッシュデータは、ウェブブラウザの起動時に不揮発性記憶領域１０２ａから削除される。「入力履歴を保存しない」と表示されたメニューを選択して実行すると、それ以降、フォーカス表示されたブックマーク表示１２５に対応するウェブページの入力履歴データは、ウェブブラウザの起動時に不揮発性記憶領域１０２ａから削除される。
【００９１】
なお、「Ｃｏｏｋｉｅを保存しない」と表示されたメニューを選択して実行した際には、このメニューは「Ｃｏｏｋｉｅを保存する」と表示されたメニューに変化する。この「Ｃｏｏｋｉｅを保存する」と表示されたメニューを選択して実行すると、それ以降、フォーカス表示されたブックマーク表示１２５に対応するウェブページのＣｏｏｋｉｅは、ウェブブラウザの起動時に不揮発性記憶領域１０２ａから削除されない。このことは、「キャッシュを保存しない」及び「入力履歴を保存しない」と表示されたメニューについても同様である。
【００９２】
設定メニュー１２７により、Ｃｏｏｋｉｅが不揮発性記憶領域１０２ａに記憶されないように設定されているときには、Ｃｏｏｋｉｅが不揮発性記憶領域１０２ａに記憶されない設定であることを示す表示であるマーク１２８がブックマーク表示１２５の左上部に表示される。このマーク１２８は、例えば、お菓子のクッキーの画像に×印が付されたマークで構成される。また、設定メニュー１２７により、Ｃｏｏｋｉｅが不揮発性記憶領域１０２ａに記憶されるように設定されているときには、Ｃｏｏｋｉｅが不揮発性記憶領域１０２ａに記憶される設定であることを示す表示であるマーク１２９がブックマーク表示１２５の左上部に表示される。このマーク１２９は、例えば、お菓子のクッキーの画像が表示されたマークで構成される。キャッシュデータ及び入力履歴データについても、上述したＣｏｏｋｉｅと同様にマークを表示させることができる。
【００９３】
次に、本実施の形態のウェブブラウザ制御装置１０によるウェブブラウザ制御方法について説明する。図６は、実施の形態１のウェブブラウザ制御装置によるウェブブラウザ制御方法の流れを示すフローチャートである。
【００９４】
まず、ユーザが入力部１１２を操作することによって、ウェブブラウザ制御部１０１は、ウェブブラウザを起動させる（Ｓ１０１）。ウェブブラウザの起動時に、ウェブブラウザ制御部１０１は、ブックマークに登録されていないウェブページの履歴情報（Ｃｏｏｋｉｅ、キャッシュデータ及び入力履歴データ）を不揮発性記憶領域１０２ａから削除する処理を行う（Ｓ１０２）。
【００９５】
図７は、図６における履歴情報の削除処理の流れを具体的に示すフローチャートである。図７に示すように、ブラウザコア部１０６は、ウェブブラウザの起動時に、処理部１０７に対して、ブックマークに登録されていないウェブページの履歴情報を削除するように指示する（Ｓ２０１）。処理部１０７は、ブラウザコア部１０６からの指示に基づいて、ブックマークに登録された全てのウェブページのドメイン及びパス並びに全てのウェブページの履歴情報のドメイン及びパスを不揮発性記憶領域１０２ａから取得する（Ｓ２０２）。その後、処理部１０７は、ドメイン判定部１０８に対してドメイン及びパスの判定を指示する（Ｓ２０３）。
【００９６】
ドメイン判定部１０８は、処理部１０７からの指示に基づいて、Ｃｏｏｋｉｅ、キャッシュデータ及び入力履歴データの各々について、ドメイン及びパスの判定を行う。まず、ドメイン判定部１０８は、ウェブページのＣｏｏｋｉｅのドメイン及びパスが、ブックマークに登録されたウェブページのドメイン及びパスを包含するか否かを判定する。このドメイン判定部１０８による判定は、上述したようにして行われる。ドメイン判定部１０８により包含すると判定された場合には（Ｓ２０４でＹＥＳ）、処理部１０７は、Ｃｏｏｋｉｅを不揮発性記憶領域１０２ａに保持させる（Ｓ２０５）。ドメイン判定部１０８により包含しないと判定された場合には（Ｓ２０４でＮＯ）、処理部１０７は、Ｃｏｏｋｉｅを不揮発性記憶領域１０２ａから削除する（Ｓ２０６）。このようにして、不揮発性記憶領域１０２ａに記憶されている全てのＣｏｏｋｉｅに対して、上述したのと同様の処理が行われる。
【００９７】
なお、不揮発性記憶領域１０２ａに記憶されている全てのキャッシュデータ及び入力履歴データについても、上述したＳ２０４〜Ｓ２０６と同様の処理が行われる。
【００９８】
処理部１０７により取得された全ての履歴情報についてドメイン及びパスの判定が行われることによって、ブックマークに登録されていないウェブページの履歴情報が不揮発性記憶領域１０２ａから削除される。これにより、不揮発性記憶領域１０２ａには、ブックマークに登録されたウェブページの履歴情報のみが保持される。
【００９９】
処理部１０７により取得された全ての履歴情報についてドメイン及びパスの判定が行われた後に（Ｓ２０７でＹＥＳ）、ブラウザコア部１０６は、表示制御部１０３に対して、ブックマーク一覧画面を表示するように指示する。表示制御部１０３は、ブラウザコア部１０６からの指示に基づいて、ウェブページのブックマーク情報を不揮発性記憶領域１０２ａから取得する。そして、表示制御部１０３は、取得したウェブページのブックマーク情報に基づいて、表示部１１１にブックマーク一覧画面を表示させる（Ｓ１０３）。
【０１００】
ユーザが入力部１１２を操作することにより、ブックマーク一覧画面で閲覧したいウェブページのブックマーク表示１２５をフォーカス表示させる。この状態で、ユーザがさらに入力部１１２を操作することにより、フォーカス表示されたブックマーク表示１２５に対応するウェブページが表示部１１１に表示され、ブラウジングが開始される（Ｓ１０４）。
【０１０１】
ブラウジング中に、ウェブサーバ１２からウェブブラウザ制御部１０１にＣｏｏｋｉｅが送信された場合には（Ｓ１０５でＹＥＳ）、処理部１０７は、Ｃｏｏｋｉｅを不揮発性記憶領域１０２ａに記憶させる（Ｓ１０６）。
【０１０２】
また、ブラウジング中に、ユーザが入力部１１２を操作してウェブページ内の入力エリアに文字列を入力した場合には（Ｓ１０７でＹＥＳ）、処理部１０７は、入力履歴データを不揮発性記憶領域１０２ａに記憶させる（Ｓ１０８）。このとき、入力履歴データは、ユーザが入力を行ったウェブページのＵＲＬとともに記憶される。
【０１０３】
さらに、ブラウジング中に、ユーザが入力部１１２を操作してウェブページを遷移させた場合には（Ｓ１０９でＹＥＳ）、新たなウェブページのキャッシュデータが不揮発性記憶領域１０２ａに記憶される（Ｓ１１０）。
【０１０４】
このように、ブラウジング中にＣｏｏｋｉｅ等が不揮発性記憶領域１０２ａに記憶されるので、セッション管理にＣｏｏｋｉｅを使用するウェブページを閲覧する場合であっても、Ｃｏｏｋｉｅを利用したブラウジングを行うことができる。
【０１０５】
なお、ブックマークに登録されていないウェブページを閲覧したいときには、ロケーションバー１２３に閲覧したいウェブページのＵＲＬを入力すればよい。この場合にも、上述したＳ１０５〜Ｓ１１０と同様の処理が行われる。
【０１０６】
ユーザがブラウジングを終了するときには（Ｓ１１１でＹＥＳ）、ユーザが入力部１１２を操作することにより、ウェブブラウザ制御部１０１はウェブブラウザを終了する（Ｓ１１２）。なお、ウェブブラウザの終了後に、ウェブブラウザを再度起動させた場合には、上述と同様にして、履歴情報の削除処理が行われる。
【０１０７】
本実施の形態のウェブブラウザ制御装置１０では、次のような効果を得ることができる。ブックマークに登録されたウェブページは、テレビジョン受像機１１を使用する複数のユーザによって見られる可能性がある。そのため、ユーザは、一般に、他のユーザに閲覧していることが知られたくないウェブページをブックマークに登録しない傾向にある。従って、ウェブブラウザの起動時に、ブックマークに登録されていないウェブページの履歴情報が不揮発性記憶領域１０２ａから削除されることにより、プライバシーを十分に保護することができる。ブックマークに登録されたウェブページの履歴情報は不揮発性記憶領域１０２ａに保持されるので、ユーザが切り替わった場合であっても、例えばウェブページのカスタマイズ情報等を引き継ぐことができ、ウェブブラウザを閲覧する際の利便性を高めることができる。
【０１０８】
また、ウェブブラウザの起動時にブックマーク一覧画面が表示部１１１に表示されるので、ユーザは、テレビジョン受像機１１を利用する他のユーザにもブックマーク一覧画面が表示されることを容易に認識することができる。さらに、ユーザは、自分が頻繁に閲覧するウェブページをブックマークに登録する傾向にある。そのため、ウェブブラウザの起動時にブックマーク一覧画面を表示部１１１に表示させることにより、ユーザは、ブックマークに登録されたウェブページを容易に閲覧することができる。
【０１０９】
なお、本実施の形態では、ウェブブラウザの起動時に、ブックマークに登録されていないウェブページの履歴情報が不揮発性記憶領域１０２ａから削除されるように構成したが、このような構成に代えて、ウェブブラウザの終了時に、ブックマークに登録されていないウェブページの履歴情報が不揮発性記憶領域１０２ａから削除されるように構成することもできる。このように構成した場合であっても、上述と同様の効果を得ることができる。
【０１１０】
また、本実施の形態では、ウェブページの履歴情報は、Ｃｏｏｋｉｅ、キャッシュデータ及び入力履歴データで構成したが、これらに加えて、ウェブページ閲覧履歴データ及びウェブページ関連情報データを含むように構成することもできる。ウェブページ閲覧履歴データは、閲覧されたウェブページのＵＲＬ及び閲覧年月日に関するデータである。ウェブページ関連情報データは、閲覧されたウェブページの画面イメージ又はｒｅｆｅｒｅｒに関するデータである。ウェブページ関連情報データは、そのウェブページ関連情報データが取得されたときのウェブページのＵＲＬとともに、不揮発性記憶領域１０２ａに記憶される。なお、ウェブページの履歴情報は、Ｃｏｏｋｉｅ、キャッシュデータ、入力履歴データ、ページ閲覧履歴データ及びページ関連情報データのうち少なくとも１つを含むように構成することができる。
【０１１１】
また、本実施の形態では、記憶部１０２は不揮発性記憶領域１０２ａを有するように構成したが、ウェブブラウザ制御装置１０が連続的に通電される機器である場合には、記憶部１０２は不揮発性記憶領域１０２ａに代えて揮発性記憶領域を有するように構成することもできる。
【０１１２】
（実施の形態２）
図８は、本発明の実施の形態２に係るウェブブラウザ制御装置のウェブブラウザ制御部の構成を示すブロック図である。図８に示すように、ウェブブラウザ制御装置２０の記憶部２０２は、第１の記憶領域としての不揮発性記憶領域２０２ａと、第２の記憶領域としての揮発性記憶領域２０２ｂと、を有している。不揮発性記憶領域２０２ａは、例えば不揮発性メモリ等で構成されている。揮発性記憶領域２０２ｂは、例えば揮発性メモリ等で構成されている。
【０１１３】
ウェブブラウザ制御部２０１の処理部２０７は、ブラウザコア部２０６からの指示に基づいて、ブックマークに登録されたウェブページのドメイン及びパス並びにウェブページの履歴情報のドメイン及びパスを不揮発性記憶領域２０２ａから取得することにより、ドメイン判定部２０８に対してドメイン及びパスの判定を指示する。また、処理部２０７は、ドメイン判定部２０８からの判定結果に基づいて、ブックマークに登録されたウェブページの履歴情報を不揮発性記憶領域２０２ａに記憶させ、ブックマークに登録されていないウェブページの履歴情報を揮発性記憶領域２０２ｂに記憶させる。
【０１１４】
次に、本実施の形態のウェブブラウザ制御装置２０によるウェブブラウザ制御方法の流れを説明する。図９は、実施の形態２のウェブブラウザ制御装置によるウェブブラウザ制御方法の流れを説明するためのフローチャートである。
【０１１５】
まず、ユーザが入力部（図示せず）を操作することによって、ウェブブラウザ制御部２０１は、ウェブブラウザを起動させる（Ｓ３０１）。ウェブブラウザの起動時に、ブラウザコア部２０６は、表示制御部２０３に対して、ブックマーク一覧画面を表示するように指示する。表示制御部２０３は、ブラウザコア部２０６からの指示に基づいて、ウェブページのブックマーク情報を不揮発性記憶領域２０２ａから取得し、表示部（図示せず）にブックマーク一覧画面を表示させる（Ｓ３０２）。ユーザがブックマーク一覧画面を操作することにより、ウェブページが表示部に表示され、ブラウジングが開始される（Ｓ３０３）。
【０１１６】
ブラウジング中に、ウェブサーバ（図示せず）からウェブブラウザ制御部２０１にＣｏｏｋｉｅが送信された場合には（Ｓ３０４でＹＥＳ）、処理部２０７は、ブックマークに登録されたウェブページの履歴情報を不揮発性記憶領域２０２ａに記憶させ、ブックマークに登録されていないウェブページの履歴情報を揮発性記憶領域２０２ｂに記憶させる処理を行う（Ｓ３０５）。
【０１１７】
図１０は、図９における履歴情報の保存処理の流れを具体的に示すフローチャートである。図１０に示すように、ブラウザコア部２０６は、処理部２０７に対して、ウェブサーバから送信されたＣｏｏｋｉｅを保存するように指示する（Ｓ４０１）。処理部２０７は、ブラウザコア部２０６からの指示に基づいて、ブックマークに登録された全てのウェブページのドメイン及びパスを不揮発性記憶領域２０２ａから取得する（Ｓ４０２）。その後、処理部２０７は、ドメイン判定部２０８に対してドメイン及びパスの判定を指示する（Ｓ４０３）。
【０１１８】
ドメイン判定部２０８は、処理部２０７からの指示に基づいて、ウェブサーバから送信されたＣｏｏｋｉｅのドメイン及びパスが、ブックマークに登録されたウェブページのドメイン及びパスを包含するか否かを判定する。このドメイン判定部２０８による判定は、実施の形態１で説明したようにして行われる。ドメイン判定部２０８により包含すると判定された場合には（Ｓ４０４でＹＥＳ）、処理部２０７は、Ｃｏｏｋｉｅを不揮発性記憶領域２０２ａに記憶させる（Ｓ４０５）。ドメイン判定部２０８により包含しないと判定された場合には（Ｓ４０４でＮＯ）、処理部２０７は、Ｃｏｏｋｉｅを揮発性記憶領域２０２ｂに記憶させる（Ｓ４０６）。このようにして、Ｃｏｏｋｉｅの保存処理が終了する。
【０１１９】
その後、ブラウジング中に、ユーザが入力部を操作してウェブページ内の入力エリアに文字列を入力した場合には（Ｓ３０６でＹＥＳ）、処理部２０７は、ブックマークに登録されたウェブページで入力された入力履歴データを不揮発性記憶領域２０２ａに記憶させ、ブックマークに登録されていないウェブページで入力された入力履歴データを揮発性記憶領域２０２ｂに記憶させる処理を行う（Ｓ３０７）。この入力履歴データの保存処理は、上述したＣｏｏｋｉｅの保存処理と同様にして行われるので、その説明を省略する。
【０１２０】
その後、ブラウジング中に、ユーザが入力部を操作してウェブページを遷移させた場合には（Ｓ３０８でＹＥＳ）、処理部２０７は、ブックマークに登録されたウェブページのキャッシュデータを不揮発性記憶領域２０２ａに記憶させ、ブックマークに登録されていないウェブページのキャッシュデータを揮発性記憶領域２０２ｂに記憶させる処理を行う（Ｓ３０９）。このキャッシュデータの保存処理は、上述したＣｏｏｋｉｅの保存処理と同様にして行われるので、その説明を省略する。
【０１２１】
このようにして、ブックマークに登録されたウェブページの履歴情報は不揮発性記憶領域２０２ａに記憶され、ブックマークに登録されていないウェブページの履歴情報は揮発性記憶領域２０２ｂに記憶される。
【０１２２】
ユーザがブラウジングを終了するときには（Ｓ３１０でＹＥＳ）、ユーザが入力部を操作することにより、ウェブブラウザ制御部２０１はウェブブラウザを終了する（Ｓ３１１）。ウェブブラウザの終了時に、処理部２０７は、揮発性記憶領域２０２ｂに記憶されているウェブページの履歴情報を全て削除する（Ｓ３１２）。
【０１２３】
なお、本実施の形態では、ウェブブラウザの終了時に、ブックマークに登録されていないウェブページの履歴情報が揮発性記憶領域２０２ｂから削除されるように構成したが、このような構成に代えて、ウェブブラウザの起動時に、ブックマークに登録されていないウェブページの履歴情報が揮発性記憶領域２０２ｂから削除されるように構成することもできる。この場合において、ウェブブラウザの終了後に、ウェブブラウザ制御装置２０の通電が遮断された際には、揮発性記憶領域２０２ｂに記憶されたウェブページの履歴情報は消去される。
【０１２４】
また、本実施の形態では、ブックマークに登録されたウェブページの履歴情報を不揮発性記憶領域２０２ａに記憶するように構成したが、不揮発性記憶領域２０２ａ及び揮発性記憶領域２０２ｂの双方に記憶するように構成することもできる。これにより、ブックマークに登録されたウェブページの表示速度を高めることができる。
【０１２５】
また、本実施の形態では、記憶部２０２は不揮発性記憶領域２０２ａを有するように構成したが、ウェブブラウザ制御装置２０が連続的に通電される機器である場合には、記憶部２０２は不揮発性記憶領域２０２ａに代えて揮発性記憶領域を有するように構成することもできる。
【０１２６】
（実施の形態３）
図１１は、本発明の実施の形態３に係るウェブブラウザ制御装置のウェブブラウザ制御部の構成を示すブロック図である。図１１に示すように、ウェブブラウザ制御装置３０の記憶部３０２は、第１の記憶領域としての不揮発性記憶領域３０２ａと、第２の記憶領域としての揮発性記憶領域３０２ｂと、を有している。
【０１２７】
ウェブブラウザ制御部３０１の処理部３０７は、ブラウザコア部３０６からの指示に基づいて、ブックマークに登録されたウェブページのドメイン及びパスを不揮発性記憶領域２０２ａから取得することにより、ドメイン判定部３０８に対してドメイン及びパスの判定を指示する。また、処理部３０７は、ドメイン判定部３０８からの判定結果に基づいて、不揮発性記憶領域２０２ａに記憶されたウェブページの履歴情報のうち、ブックマークに登録されたウェブページの履歴情報を使用（送信を含む）させ、ブックマークに登録されていないウェブページの履歴情報を使用（送信を含む）させない。
【０１２８】
次に、本実施の形態のウェブブラウザ制御装置３０によるウェブブラウザ制御方法の流れを説明する。図１２は、実施の形態３のウェブブラウザ制御装置によるウェブブラウザ制御方法の流れを説明するためのフローチャートである。
【０１２９】
まず、ユーザが入力部（図示せず）を操作することによって、ウェブブラウザ制御部３０１は、ウェブブラウザを起動させる（Ｓ５０１）。ウェブブラウザの起動時に、ブラウザコア部３０６は、表示制御部３０３に対して、ブックマーク一覧画面を表示するように指示する。表示制御部３０３は、ブラウザコア部３０６からの指示に基づいて、ウェブページのブックマーク情報を不揮発性記憶領域３０２ａから取得し、表示部（図示せず）にブックマーク一覧画面を表示させる（Ｓ５０２）。ユーザがブックマーク一覧画面を操作することにより、ウェブページが表示部に表示され、ブラウジングが開始される（Ｓ５０３）。
【０１３０】
ブラウジング中において、処理部３０７は、Ｃｏｏｋｉｅ、キャッシュデータ及び入力履歴データを不揮発性記憶領域３０２ａ及び揮発性記憶領域３０２ｂの双方に記憶させる（Ｓ５０４）。
【０１３１】
ウェブブラウザ制御部３０１からウェブサーバ（図示せず）にＣｏｏｋｉｅを送信する場合には（Ｓ５０５でＹＥＳ）、処理部３０７は、不揮発性記憶領域２０２ａに記憶されたウェブページの履歴情報のうち、ブックマークに登録されたウェブページのＣｏｏｋｉｅを送信させ、ブックマークに登録されていないウェブページのＣｏｏｋｉｅを送信させない処理を行う（Ｓ５０６）。
【０１３２】
図１３は、図１２におけるＣｏｏｋｉｅの送信処理の流れを具体的に示すフローチャートである。図１３に示すように、ブラウザコア部３０６は、処理部３０７に対して、ウェブサーバにＣｏｏｋｉｅを送信するように指示する（Ｓ６０１）。処理部３０７は、ブラウザコア部３０６からの指示に基づいて、該当するドメイン及びパスを有するＣｏｏｋｉｅが揮発性記憶領域３０２ｂに存在するかを検索する。該当するドメイン及びパスを有するＣｏｏｋｉｅが揮発性記憶領域３０２ｂに存在する場合には（Ｓ６０２でＹＥＳ）、処理部３０７は、揮発性記憶領域３０２ｂからＣｏｏｋｉｅを取得してウェブサーバに送信する（Ｓ６０３）。
【０１３３】
該当するドメイン及びパスを有するＣｏｏｋｉｅが揮発性記憶領域３０２ｂに存在しない場合には（Ｓ６０２でＮＯ）、処理部３０７は、ブックマークに登録された全てのウェブページのドメイン及びパスを不揮発性記憶領域３０２ａから取得する（Ｓ６０４）。その後、処理部３０７は、ドメイン判定部３０８に対してドメイン及びパスの判定を指示する（Ｓ６０５）。
【０１３４】
ドメイン判定部３０８は、処理部３０７からの指示に基づいて、送信指示されたＣｏｏｋｉｅのドメイン及びパスが、ブックマークに登録されたウェブページのドメイン及びパスを包含するか否かを判定する。このドメイン判定部３０８による判定は、実施の形態１で説明したようにして行われる。ドメイン判定部３０８により包含すると判定された場合には（Ｓ６０６でＹＥＳ）、処理部３０７は、該当するＣｏｏｋｉｅが不揮発性記憶領域３０２ａに存在するかを検索する。
【０１３５】
該当するＣｏｏｋｉｅが不揮発性記憶領域３０２ａに存在する場合には（Ｓ６０７でＹＥＳ）、処理部３０７は、不揮発性記憶領域３０２ａからＣｏｏｋｉｅを取得してウェブサーバに送信する（Ｓ６０８）。該当するＣｏｏｋｉｅが不揮発性記憶領域３０２ａに存在しない場合には（Ｓ６０７でＮＯ）、処理部３０７は、Ｃｏｏｋｉｅを送信することなく処理を終了する。
【０１３６】
また、ドメイン判定部３０８により包含しないと判定された場合には（Ｓ６０６でＮＯ）、処理部３０７は、Ｃｏｏｋｉｅを送信することなく処理を終了する。このようにして、Ｃｏｏｋｉｅの送信処理が終了する。
【０１３７】
その後、ブラウジング中に、ユーザが入力部を操作してウェブページ内の入力エリアに文字列を入力した場合には（Ｓ５０７でＹＥＳ）、処理部３０７は、不揮発性記憶領域３０２ａに記憶されたウェブページの入力履歴データのうち、ブックマークに登録されたウェブページの入力履歴データを使用させ、ブックマークに登録されていないウェブページの入力履歴データを使用させない処理を行う（Ｓ５０８）。この入力履歴データの使用処理は、上述したＣｏｏｋｉｅの送信処理と同様にして行われるので、その説明を省略する。
【０１３８】
その後、ブラウジング中に、ユーザが入力部を操作してウェブページを遷移させた場合には（Ｓ５０９でＹＥＳ）、処理部３０７は、不揮発性記憶領域３０２ａに記憶されたウェブページのキャッシュデータのうち、ブックマークに登録されたウェブページのキャッシュデータを使用させ、ブックマークに登録されていないウェブページのキャッシュデータを使用させない処理を行う（Ｓ５１０）。このキャッシュデータの使用処理は、上述したＣｏｏｋｉｅの送信処理と同様にして行われるので、その説明を省略する。
【０１３９】
このようにして、不揮発性記憶領域３０２ａに記憶されている履歴情報のうち、ブックマークに登録されたウェブページの履歴情報は使用され、ブックマークに登録されていないウェブページの履歴情報は使用されない。
【０１４０】
ユーザがブラウジングを終了するときには（Ｓ５１１でＹＥＳ）、ユーザが入力部を操作することにより、ウェブブラウザ制御部３０１はウェブブラウザを終了する（Ｓ５１２）。ウェブブラウザの終了時に、処理部３０７は、揮発性記憶領域３０２ｂに記憶されているウェブページの履歴情報を全て削除する（Ｓ５１３）。
【０１４１】
なお、本実施の形態では、ウェブブラウザの終了時に、ブックマークに登録されていないウェブページの履歴情報が揮発性記憶領域３０２ｂから削除されるように構成したが、このような構成に代えて、ウェブブラウザの起動時に、ブックマークに登録されていないウェブページの履歴情報が揮発性記憶領域３０２ｂから削除されるように構成することもできる。この場合において、ウェブブラウザの終了後に、ウェブブラウザ制御装置３０の通電が遮断された際には、揮発性記憶領域３０２ｂに記憶されたウェブページの履歴情報は自動的に削除される。
【０１４２】
また、本実施の形態では、記憶部３０２は不揮発性記憶領域３０２ａを有するように構成したが、ウェブブラウザ制御装置３０が連続的に通電される機器である場合には、記憶部３０２は不揮発性記憶領域３０２ａに代えて揮発性記憶領域を有するように構成することもできる。
【０１４３】
（実施の形態４）
図１４は、本発明の実施の形態４に係るテレビジョン受像機の外観を示す斜視図である。図１５は、図１４のテレビジョン受像機の機能的構成を示すブロック図である。
【０１４４】
図１４及び図１５に示すように、テレビジョン受像機４１は、ウェブブラウザ制御部４０１、記憶部４０２、表示制御部４０３、ネットワーク接続部４０４、表示部４０５及び入力部４０６を備えている。
【０１４５】
ウェブブラウザ制御部４０１、記憶部４０２、表示制御部４０３及びネットワーク接続部４０４はそれぞれ、上記実施の形態１におけるウェブブラウザ制御装置１０のウェブブラウザ制御部１０１、記憶部１０２、表示制御部１０３及びネットワーク接続部１０４と同様である。表示部４０５及び入力部４０６はそれぞれ、例えば、上記実施の形態１におけるテレビジョン受像機１１の表示部１１１及び入力部１１２と同様である。
【０１４６】
テレビジョン受像機４１は、さらに、放送信号を受信することにより映像信号を取得するチューナ部（図示せず）を備えている。表示部４０５には、チューナ部により取得された映像信号が表示される。
【０１４７】
従って、本実施の形態のテレビジョン受像機４１では、上記実施の形態１と同様の効果を得ることができる。なお、ウェブブラウザ制御部４０１、記憶部４０２、表示制御部４０３及びネットワーク接続部４０４はそれぞれ、上記実施の形態２におけるウェブブラウザ制御装置２０の各構成要素又は上記実施の形態３におけるウェブブラウザ制御装置３０の各構成要素と同様に構成することも可能である。
【０１４８】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。ここで、上記各実施の形態の画像復号化装置などを実現するソフトウェアは、次のようなプログラムである。
【０１４９】
すなわち、このプログラムは、ウェブブラウザの起動時に、ブックマークに登録されたウェブページの一覧を示すブックマーク一覧画面を表示部に表示させるステップと、ウェブブラウザの起動時から終了時までの間に、前記表示部に表示されたウェブページの履歴情報を記憶部に記憶させるステップと、ウェブブラウザの終了時又はウェブブラウザの起動時に、ブックマークに登録されていないウェブページの履歴情報を前記記憶部から削除するステップと、をコンピュータに実行させる。
【０１５０】
以上、本発明の一つ又は複数の態様に係るウェブブラウザ制御装置、ウェブブラウザ制御方法及びテレビジョン受像機について、実施の形態に基づいて説明したが、本発明は、この実施の形態に限定されるものではない。本発明の趣旨を逸脱しない限り、当業者が思い付く各種変形を本実施の形態に施したものや、異なる実施の形態における構成要素を組み合わせて構築される形態も、本発明の一つ又は複数の態様の範囲内に含まれてもよい。
【０１５１】
上記実施の形態では、ウェブブラウザの起動時にブックマーク一覧画面が表示部に表示されるように構成したが、ユーザがブラウジングを開始する前に、ブックマーク一覧画面を表示部に表示させればよい。例えば、ウェブブラウザの起動後に広告等を表示部に表示させ、その後にブックマーク一覧画面を表示部に表示させ、さらにその後にユーザによるブラウジングを開始するように構成することもできる。従って、「ブラウジングの起動時」には、ブラウジングを起動させてからユーザがブラウジングを開始する前の状態を含む。
【０１５２】
また、上記実施の形態では、ドメイン判定部は、ドメインの包含及びパスの包含を判定するように構成したが、ドメイン判定部は、ドメインの包含のみを判定するように構成することもできる。
【０１５３】
また、上記実施の形態では、ウェブページの履歴情報をウェブブラウザ制御装置又はテレビジョン受像機の内部の記憶領域に保存するように構成したが、ネットワーク対応のストレージやメモリーカード等を用いて、ウェブページの履歴情報をウェブブラウザ制御装置又はテレビジョン受像機の外部の記憶領域に保存するように構成することもできる。或いは、ウェブページの履歴情報をインターネット上のウェブサーバの記憶領域に保存するように構成することもできる。
【０１５４】
また、上記実施の形態では、ウェブブラウザ制御装置をテレビジョン受像機に接続する場合について説明したが、例えばウェブブラウザ制御装置をタブレット型情報端末又はテーブル型情報端末等に接続することもできる。或いは、ウェブブラウザ制御装置をタブレット型情報端末又はテーブル型情報端末等に内蔵することもできる。
【０１５５】
また、上記実施の形態では、ブックマーク一覧画面で削除メニュー及び設定メニューが表示されるように構成したが、設定メニューを省略するとともに、削除メニューを「ブックマークを削除」のメニューのみで構成することもできる。或いは、削除メニューを「ブックマークを削除」、「Ｃｏｏｋｉｅを削除」及び「キャッシュを削除」のメニューで構成することもできる。
【０１５６】
また、上記実施の形態では、ブックマーク一覧画面で削除メニュー及び設定メニューが表示されるように構成したが、設定メニューを省略し、削除メニューのみが表示されるように構成することもできる。
【０１５７】
また、上記実施の形態では、入力履歴データは、入力部としてのリモートコントローラで入力されたデータで構成したが、これに限られず、例えば入力部としてのキーボードで入力されたデータ又は入力部としてのマイクロホンで入力された音声データで構成することもできる。
【０１５８】
また、上記実施の形態では、ウェブブラウザ制御部は、ウェブブラウザの終了時又はウェブブラウザの起動時に、ブックマークに登録されたウェブページのドメイン及びサブドメインの履歴情報以外の履歴情報を記憶部から削除するように構成したが、例えば次のように構成することもできる。即ち、ウェブブラウザ制御部は、ドメイン判定部の文字列比較において、後方一致検索に代えて完全一致検索を用いることにより、ブックマークに登録されたウェブページのドメインの履歴情報以外の履歴情報を記憶部から削除するように構成することもできる。また、ドメイン判定部においてディレクトリを判定する場合に、ウェブブラウザ制御部は、ドメイン判定部の文字列比較において、前方一致検索に代えて完全一致検索を用いるように構成することもできる。
【産業上の利用可能性】
【０１５９】
本発明は、ウェブページを閲覧する際の利便性を高めながら、プライバシーの保護を図ることができるウェブブラウザ制御装置、ウェブブラウザ制御方法及びテレビジョン受像機として利用することができる。
【符号の説明】
【０１６０】
１０，２０，３０  ウェブブラウザ制御装置
１１，４１  テレビジョン受像機
１２  ウェブサーバ
１０１，２０１，３０１，４０１  ウェブブラウザ制御部
１０２，２０２，３０２，４０２  記憶部
１０２ａ，２０２ａ，３０２ａ  不揮発性記憶領域
１０３，２０３，３０３，４０３  表示制御部
１０４，４０４  ネットワーク接続部
１０６，２０６，３０６  ブラウザコア部
１０７，２０７，３０７  処理部
１０８，２０８，３０８  ドメイン判定部
１１１，４０５  表示部
１１２，４０６  入力部
１２１  表示エリア
１２２  表示バー
１２３  ロケーションバー
１２４  検索バー
１２５  ブックマーク表示
１２６  削除メニュー
１２７  設定メニュー
１２８，１２９  マーク
２０２ｂ，３０２ｂ  揮発性記憶領域
【手続補正２】
【補正対象書類名】特許請求の範囲
【補正対象項目名】全文
【補正方法】変更
【補正の内容】
【特許請求の範囲】
【請求項１】
ウェブページとブックマークに登録されたウェブページの一覧を示すブックマーク一覧画面とを表示させる表示制御部と、
前記表示制御部により表示されたウェブページの履歴情報及びブックマークに登録されたウェブページのブックマーク情報を記憶する記憶部と、
ウェブブラウザの起動時に、前記記憶部に記憶されたブックマーク情報に基づいて前記ブックマーク一覧画面を表示させるように前記表示制御部に指示し、ウェブブラウザの終了時又はウェブブラウザの起動時に、ブックマークに登録されていないウェブページの履歴情報を前記記憶部から削除するウェブブラウザ制御部と、を備える
ウェブブラウザ制御装置。
【請求項２】
前記記憶部は、不揮発性記憶領域又は揮発性記憶領域で構成される記憶領域を有し、
前記記憶領域には、前記表示制御部により表示されたウェブページの履歴情報及びブックマークに登録されたウェブページのブックマーク情報が記憶され、
前記ウェブブラウザ制御部は、ウェブブラウザの終了時又はウェブブラウザの起動時に、前記記憶領域に記憶されたウェブページの履歴情報及びブックマーク情報に基づいて、前記記憶領域に記憶されたウェブページの履歴情報のうちブックマークに登録されていないウェブページの履歴情報を前記記憶領域から削除する
請求項１に記載のウェブブラウザ制御装置。
【請求項３】
前記記憶領域には、前記表示制御部により表示されたウェブページの履歴情報に関するドメインと、ブックマークに登録されたウェブページのＵＲＬのドメインとが記憶され、
前記ウェブブラウザ制御部は、
ウェブブラウザの終了時又はウェブブラウザの起動時に、前記記憶領域に記憶されたウェブページの履歴情報に関するドメインが、ブックマークに登録されたウェブページのＵＲＬのドメインを包含するか否かを判定するドメイン判定部と、
ウェブブラウザの終了時又はウェブブラウザの起動時に、前記ドメイン判定部により包含すると判定された場合には、ウェブページの履歴情報を前記記憶領域に保持し、前記ドメイン判定部により包含しないと判定された場合には、ウェブページの履歴情報を前記記憶領域から削除する処理部と、を有する
請求項２に記載のウェブブラウザ制御装置。
【請求項４】
前記記憶部は、第１の記憶領域及び第２の記憶領域を有し、
前記第１の記憶領域には、ブックマークに登録されたウェブページのブックマーク情報が記憶され、
前記ウェブブラウザ制御部は、
ウェブブラウザの起動時から終了時までの間に、前記第１の記憶領域に記憶されたブックマーク情報に基づいて、前記表示制御部により表示されたウェブページのうちブックマークに登録されたウェブページの履歴情報を前記第１の記憶領域に記憶させ、前記表示制御部により表示されたウェブページのうちブックマークに登録されていないウェブページの履歴情報を前記第２の記憶領域に記憶させ、
ウェブブラウザの終了時又はウェブブラウザの起動時に、ブックマークに登録されていないウェブページの履歴情報を前記第２の記憶領域から削除する
請求項１に記載のウェブブラウザ制御装置。
【請求項５】
前記第１の記憶領域には、ブックマークに登録されたウェブページのＵＲＬのドメインが記憶され、
前記ウェブブラウザ制御部は、
ウェブブラウザの起動時から終了時までの間に、前記表示制御部により表示されたウェブページの履歴情報に関するドメインが、ブックマークに登録されたウェブページのＵＲＬのドメインを包含するか否かを判定するドメイン判定部と、
前記ドメイン判定部により包含すると判定された場合には、ウェブページの履歴情報を前記第１の記憶領域に記憶させ、前記ドメイン判定部により包含しないと判定された場合には、ウェブページの履歴情報を前記第２の記憶領域に記憶させ、ウェブブラウザの終了時又はウェブブラウザの起動時に、前記第２の記憶領域に記憶されたウェブページの履歴情報を削除する処理部と、を有する
請求項４に記載のウェブブラウザ制御装置。
【請求項６】
前記第１の記憶領域は不揮発性記憶領域であり、前記第２の記憶領域は揮発性記憶領域である
請求項４又は５に記載のウェブブラウザ制御装置。
【請求項７】
前記記憶部は、第１の記憶領域及び第２の記憶領域を有し、
前記第１の記憶領域には、ブックマークに登録されたウェブページのブックマーク情報が記憶され、
前記ウェブブラウザ制御部は、
ウェブブラウザの起動時から終了時までの間に、前記表示制御部により表示されたウェブページの履歴情報を前記第１の記憶領域及び前記第２の記憶領域にそれぞれ記憶させ、使用すべきウェブページの履歴情報が前記第２の記憶領域に存在する場合には、前記第２の記憶領域に記憶されたウェブページの履歴情報を使用し、使用すべきウェブページの履歴情報が前記第２の記憶領域に存在しない場合には、前記第１の記憶領域に記憶されたブックマーク情報に基づいて、前記第１の記憶領域に記憶されたウェブページの履歴情報を使用するか否かを判定し、
ウェブブラウザの終了時又はウェブブラウザの起動時に、前記第２の記憶領域に記憶されたウェブページの履歴情報を削除する
請求項１に記載のウェブブラウザ制御装置。
【請求項８】
前記第１の記憶領域には、ブックマークに登録されたウェブページのＵＲＬのドメインが記憶され、
前記ウェブブラウザ制御部は、
ウェブブラウザの起動時から終了時までの間に、使用すべきウェブページの履歴情報が前記第２の記憶領域に存在しない場合において、使用すべきウェブページの履歴情報に関するドメインが、ブックマークに登録されたウェブページのＵＲＬのドメインを包含するか否かを判定するドメイン判定部と、
前記ドメイン判定部により包含すると判定された場合には、前記第１の記憶領域に記憶された履歴情報を使用し、前記ドメイン判定部により包含しないと判定された場合には、前記第１の記憶領域に記憶された履歴情報を使用せず、ウェブブラウザの終了時又はウェブブラウザの起動時に、前記第２の記憶領域に記憶されたウェブページの履歴情報を削除する処理部と、を有する
請求項７に記載のウェブブラウザ制御装置。
【請求項９】
前記第１の記憶領域は不揮発性記憶領域であり、前記第２の記憶領域は揮発性記憶領域である
請求項７又は８に記載のウェブブラウザ制御装置。
【請求項１０】
前記ウェブブラウザ制御部は、ウェブブラウザの終了時又はウェブブラウザの起動時に、ブックマークに登録されたウェブページのドメイン及びサブドメインの履歴情報以外の履歴情報を前記記憶部から削除する
請求項１に記載のウェブブラウザ制御装置。
【請求項１１】
前記ウェブブラウザ制御部は、ウェブブラウザの終了時又はウェブブラウザの起動時に、ブックマークに登録されたウェブページのドメイン及びサブディレクトリの履歴情報以外の履歴情報を前記記憶部から削除する
請求項１に記載のウェブブラウザ制御装置。
【請求項１２】
前記ウェブブラウザ制御部は、特定のウェブページのブックマーク情報が前記記憶部から削除された際に、前記特定のウェブページの履歴情報を前記記憶部から削除する
請求項１に記載のウェブブラウザ制御装置。
【請求項１３】
前記記憶部に記憶されるウェブページの履歴情報は、Ｃｏｏｋｉｅ、キャッシュデータ、入力履歴データ、ページ閲覧履歴データ及びページ関連情報データのうち少なくとも１つを含む
請求項１に記載のウェブブラウザ制御装置。
【請求項１４】
前記ページ関連情報データは、画面イメージ又はｒｅｆｅｒｅｒである
請求項１３に記載のウェブブラウザ制御装置。
【請求項１５】
前記ページ関連情報データは、当該ページ関連情報データが取得されたウェブページのドメインとともに前記記憶部に記憶される
請求項１４に記載のウェブブラウザ制御装置。
【請求項１６】
前記入力履歴データは、入力が行われたウェブページのドメインとともに前記記憶部に記憶される
請求項１３に記載のウェブブラウザ制御装置。
【請求項１７】
前記表示制御部は、ブックマークに登録された複数のウェブページに対応する複数のブックマーク表示を前記ブックマーク一覧画面に表示させ、前記複数のブックマーク表示の各々を１つずつフォーカス表示させることが可能であり、前記複数のブックマーク表示のうち特定のブックマーク表示がフォーカス表示されている際に、前記特定のブックマーク表示に対応するウェブページの履歴情報を前記記憶部から削除するための削除メニューを前記ブックマーク一覧画面に表示させる
請求項１に記載のウェブブラウザ制御装置。
【請求項１８】
前記表示制御部は、ブックマークに登録された複数のウェブページに対応する複数のブックマーク表示を前記ブックマーク一覧画面に表示させ、前記複数のブックマーク表示の各々を１つずつフォーカス表示させることが可能であり、前記複数のブックマーク表示のうち特定のブックマーク表示がフォーカス表示されている際に、前記特定のブックマーク表示に対応するウェブページの履歴情報を前記記憶部に記憶させるか否かを設定するための設定メニューを前記ブックマーク一覧画面に表示させる
請求項１に記載のウェブブラウザ制御装置。
【請求項１９】
前記設定メニューにより、前記特定のブックマーク表示に対応するウェブページの履歴情報を前記記憶部に記憶させるように設定されたときには、前記表示制御部は、ウェブページの履歴情報を前記記憶部に記憶させる設定であることを示す表示を前記ブックマーク一覧画面に表示させる
請求項１８に記載のウェブブラウザ制御装置。
【請求項２０】
前記設定メニューにより、前記特定のブックマーク表示に対応するウェブページの履歴情報を前記記憶部に記憶させないように設定されたときには、前記表示制御部は、ウェブページの履歴情報を前記記憶部に記憶させない設定であることを示す表示を前記ブックマーク一覧画面に表示させる
請求項１８又は１９に記載のウェブブラウザ制御装置。
【請求項２１】
前記表示制御部は、前記ブックマーク一覧画面において、前記複数のブックマーク表示を仮想的に略円筒状に並べて配置させ、且つ、前記複数のブックマーク表示を仮想的に所定方向に回転させる
請求項１７又は１８に記載のウェブブラウザ制御装置。
【請求項２２】
前記ブックマーク表示は、ブックマークに登録されたウェブページの画面をキャプチャした画像で構成される
請求項１７又は１８に記載のウェブブラウザ制御装置。
【請求項２３】
ウェブブラウザの起動時に、ブックマークに登録されたウェブページの一覧を示すブックマーク一覧画面を表示部に表示させるステップと、
ウェブブラウザの起動時から終了時までの間に、前記表示部に表示されたウェブページの履歴情報を記憶部に記憶させるステップと、
ウェブブラウザの終了時又はウェブブラウザの起動時に、ブックマークに登録されていないウェブページの履歴情報を前記記憶部から削除するステップと、を含む
ウェブブラウザ制御方法。
【請求項２４】
表示部と、
ウェブページとブックマークに登録されたウェブページの一覧を示すブックマーク一覧画面とを前記表示部に表示させる表示制御部と、
前記表示制御部により表示されたウェブページの履歴情報及びブックマークに登録されたウェブページのブックマーク情報を記憶する記憶部と、
ウェブブラウザの起動時に、前記記憶部に記憶されたブックマーク情報に基づいて前記ブックマーク一覧画面を表示させるように前記表示制御部に指示し、ウェブブラウザの終了時又はウェブブラウザの起動時に、ブックマークに登録されていないウェブページの履歴情報を前記記憶部から削除するウェブブラウザ制御部と、を備える
テレビジョン受像機。
【手続補正３】
【補正対象書類名】図面
【補正対象項目名】全図
【補正方法】変更
【補正の内容】
【図１】
2013099049.tif 000018
【図２】
2013099049.tif 000019
【図３】
2013099049.tif 000020
【図４】
2013099049.tif 000021
【図５】
2013099049.tif 000022
【図６】
2013099049.tif 000023
【図７】
2013099049.tif 000024
【図８】
2013099049.tif 000025
【図９】
2013099049.tif 000026
【図１０】
2013099049.tif 000027
【図１１】
2013099049.tif 000028
【図１２】
2013099049.tif 000029
【図１３】
2013099049.tif 000030
【図１４】
2013099049.tif 000031
【図１５】
2013099049.tif 000032
【国際調査報告】
2013099049.tif 000033
2013099049.tif 000034
2013099049.tif 000035
2013099049.tif 000036